(57)【要約】      （修正有）【解決手段】開発プラットフォームをホストするサーバは、設計者によって設計されるインタラクティブメディアファイルのコンポーネントを生成、記憶、更新し、インタラクティブメディアファイルを要求するウェブサーバまたはエンドユーザの装置に配信する。インタラクティブメディアファイルは、基本メディアファイルをユーザインタフェースで再生させるだけでなく、メディアファイルに加えて任意の数の動的制御装置を通じてインタラクティブにすることもできるコーディングコンテナのいくつかの層を備える。【効果】動的制御装置により、ユーザは、メディアプレーヤアプリケーションがインタラクティブメディアファイルを実行している間、開発プラットフォームによって配信されるメディアプレーヤアプリケーション内で生成および表示される任意の数の完全カスタマイズされたウェブベース体験またはソフトウェアアプリケーションと対話することができる。【選択図】なし【特許請求の範囲】
【請求項１】
コンピュータ実行方法であって、
コンピュータによって、グラフィカルユーザインタフェースに表示されるように構成されるメディアファイルの記憶位置を表すプログラムコードを備えるメディア層ファイルを生成することと、
コンピュータによって、前記メディアファイルに対応し、１以上の第２のキャンバス層の表示をトリガするハイパーメディアリンクとして構成される１セットの１以上の座標を定義するプログラムコードを備える第１のキャンバス層ファイルを生成することと、
コンピュータによって、前記第１のキャンバス層ファイルと前記メディア層ファイルに対応し、ユーザインタフェースの表示をトリガするハイパーメディアリンクとして構成される前記１セットの１以上の座標を定義するプログラムコードを備え、エンドユーザ装置と第三者サーバとの間でデータを通信するように構成される第２のキャンバス層ファイルを生成することと、
前記コンピュータによって、前記メディア層ファイル、前記第１のキャンバス層ファイル、および前記第２のキャンバス層ファイルの前記各プログラムコードに基づき、他のコンピュータに自己完結型で配信可能でインタラクティブメディアファイルをアセンブルすることと、を備え、
前記メディアファイルの閲覧者は、前記グラフィカルユーザインタフェースに表示された場合、前記１セットの１以上の座標に関連付けられた前記グラフィカルユーザインタフェース内のユーザアクションによって前記ハイパーメディアリンクを選択でき、
前記ハイパーメディアリンクとして構成される前記１セットの１以上の座標は、前記グラフィカルユーザインタフェースに表示される前記メディアファイル内のビジュアルコンテンツの所定の部分に関連付けられる、コンピュータ実行方法。
【請求項２】
前記第１のキャンバス層ファイルによって定義されたハイパーメディアリンクに関する前記メディアファイルの前記閲覧者による選択アクションがない場合、前記メディアファイルは、前記１以上の第２のキャンバス層を表示することとは無関係に前記閲覧者に表示される、および
前記第２のキャンバス層ファイルによって定義されたハイパーメディアリンクに関する前記メディアファイルの前記閲覧者による選択アクションがない場合、前記メディアファイルは、前記グラフィカルユーザインタフェースを表示することとは無関係に前記閲覧者に表示される、のうちの少なくとも１つである、請求項１に記載の方法。
【請求項３】
前記第１のキャンバス層ファイル内の前記１セットの１以上の座標によって定義されるハイパーメディアリンクに関する前記メディアファイルの前記閲覧者による選択アクション時に、前記メディアファイルと併せて前記１以上の第２のキャンバス層を前記閲覧者に表示すること、および
前記第２のキャンバス層ファイル内の前記１セットの１以上の座標によって定義されるハイパーメディアリンクに関する前記メディアファイルの前記閲覧者による選択アクション時に、前記メディアファイルと併せて前記グラフィカルユーザインタフェースを前記閲覧者に表示することのうちの少なくとも１つである、請求項１に記載の方法。
【請求項４】
遠隔サーバが、地理的位置および時間に関係なく前記インタラクティブメディアファイルにアクセスするユーザに、前記第１のキャンバスファイルおよび前記第２のキャンバスファイルのうちの少なくとも１つで定義されたコンテンツとともに前記メディアファイルを送信および供給し、前記ユーザによる前記ハイパーメディアリンクの選択を受信して、前記ユーザへの前記第２のキャンバス層に関連付けられた前記ユーザインタフェースの表示をトリガし得る、請求項１に記載の方法。
【請求項５】
コンピュータによって、遠隔サーバから前記インタラクティブメディアファイルを識別する埋め込みコードを含む要求を受信することを備え、
前記コンピュータは、前記遠隔サーバからの前記要求を受信すると、前記インタラクティブメディアファイルをアセンブルし、
前記インタラクティブメディアファイルは、必要なすべてのメディアと、前記メディアファイルを表示し、前記ハイパーメディアリンクに関連付けられた機能を前記閲覧者に提供するために必要なその他の情報を含み、
前記コンピュータは、通信ネットワークを介して、前記インタラクティブメディアファイルおよび前記埋め込みコードのうちの少なくとも１つを１以上の他のコンピュータに配信し、
前記１以上の他のコンピュータは、いずれかの他のメディアファイルの受信や追加に関係なく、前記インタラクティブメディアファイルを再生し得る、請求項１に記載の方法。
【請求項６】
前記第１のキャンバス層ファイル内の前記１セットの１以上の座標によって定義されるハイパーメディアリンクに関する前記メディアファイルの前記閲覧者による選択アクション時に、後続ユーザのために、スタック内の選択されたハイパーメディアリンクに関連する第１のデータを保存し、前記メディアファイルと併せて前記１以上の第２のキャンバス層を前記閲覧者に表示せず、かつ
ハイパーメディアリンクアイコンと前記ユーザが選択したアクションごとに増分されるカウンタとを表示すること、および
前記メディアファイルの供給完了時に、前記ハイパーメディアリンクアイコンと、前記メディアファイルの供給中に前記ユーザが行った選択アクションの数を示すカウンタとを表示すること、および
前記ユーザによる前記ハイパーメディアリンクアイコンの選択時に、前記グラフィカルユーザインタフェース内で前記ユーザにマイクロＷｅｂサイトを表示し、前記マイクロＷｅｂサイトは複数のセクションを含み、各セクションは、複数のハイパーメディアリンクのうちの選択されたハイパーメディアリンクについて保存された前記第１のデータに依拠して確立された製品およびサービスの少なくとも１つに関連することのうちの少なくとも１つである、請求項１に記載の方法。
【請求項７】
前記第２のキャンバス層ファイル内の前記１セットの１以上の座標によって定義されるハイパーメディアリンクに関する前記メディアファイルの前記閲覧者による選択アクション時に、後続ユーザのために、スタック内の選択されたハイパーメディアリンクに関連する第２のデータを保存し、前記メディアファイルと併せて前記グラフィカルユーザインタフェースを前記閲覧者に表示せず、かつ
ハイパーメディアリンクアイコンと前記ユーザが選択したアクションごとに増分されるカウンタとを表示すること、および
前記メディアファイルの供給完了時に、前記ハイパーメディアリンクアイコンと、前記メディアファイルの供給中に前記ユーザが行った選択アクションの数を示すカウンタとを表示すること、および
前記ユーザによる前記ハイパーメディアリンクアイコンの選択時に、前記グラフィカルユーザインタフェース内で前記ユーザにマイクロＷｅｂサイトを表示し、前記マイクロＷｅｂサイトは複数のセクションを含み、各セクションは、複数のハイパーメディアリンクのうちの選択されたハイパーメディアリンクについて保存された前記第２のデータに依拠して確立された製品およびサービスの少なくとも１つに関連することのうちの少なくとも１つである、請求項１に記載の方法。
【請求項８】
前記コンピュータによって、前記インタラクティブメディアファイル内の第２のソフトウェアアプリケーションを実行するように構成される少なくとも１つのハイパーメディアリンクを含む前記第２のキャンバス層のプログラムコードを生成することをさらに備える、請求項１に記載の方法。
【請求項９】
前記インタラクティブメディアファイルは、第１の構成、第２の構成、および第３の構成のうちの少なくとも１つをサポートし、
前記第１の構成では、前記グラフィカルユーザインタフェースに供給された場合、前記第１のキャンバス層ファイルは、前記メディアファイル上に視覚要素を表示し、ここで、前記視覚要素は、前記ハイパーメディアリンクが１以上の第２のキャンバス層の表示をトリガし、前記ハイパーメディアリンクの存在を示すように構成される前記１セットの１以上の座標のセットによって定義され、
前記第２の構成では、前記グラフィカルユーザインタフェースに供給された場合、前記第１のキャンバス層ファイルは、前記メディアファイル上に視覚要素を表示し、ここで、前記視覚要素は、１以上の第２のキャンバス層の表示をトリガし、かつ前記ハイパーメディアリンクの存在および前記メディアファイルの前記閲覧者の動作、前記メディアファイルのプロバイダの動作、前記閲覧者によってアクセスされる前記メディアファイルに関連付けられたウェブサイトのプロバイダの動作のうちの少なくとも１つに依拠して確立された前記視覚要素の視覚的外観を定義するパラメータを示す前記ハイパーメディアリンクとして構成される前記１セットの１以上の座標と前記メディアファイルのマルチメディアコンテンツとの両方によって定義され、または
前記第３の構成では、前記グラフィカルユーザインタフェースに供給された場合、前記第１のキャンバス層ファイルは、前記メディアファイル上に視覚要素を表示し、ここで、前記視覚要素は、閲覧者に現在供給されている前記メディアファイルの一部内で現在アクティブなハイパーメディアリンクの数を示す、請求項１に記載の方法。
【請求項１０】
設計者装置から受信する１以上の入力に応じて、メディア層ファイル、第１のキャンバスファイル、および第２のキャンバスファイルを生成するように構成される開発アプリケーションをホストする第１のプロセッサを備え、前記メディア層ファイル、前記第１のキャンバスファイル、および前記第２のキャンバスファイルに基づき、インタラクティブメディアファイルをアセンブルし、前記インタラクティブメディアファイルを１以上の遠隔サーバに送信するようにさらに構成される開発サーバを備え、
前記第１のキャンバスファイルは、前記メディア層ファイルに対応し、１以上の第２のキャンバス層の表示をトリガするハイパーメディアリンクを含む１セットの１以上の座標を定義するプログラムコードを備え、
前記インタラクティブメディアファイルの閲覧者は、前記グラフィカルユーザインタフェースに表示された場合、前記１セットの１以上の座標に関連付けられた前記グラフィカルユーザインタフェース内のユーザアクションによって前記ハイパーメディアリンクを選択でき、
前記１セットの１以上の座標は、前記ハイパーメディアリンクが、前記メディア層ファイルが生成されるメディアファイル内のビジュアルコンテンツの所定の部分に関連付けられるように構成され、
前記インタラクティブメディアファイルはアクセスされた場合、前記メディアファイルの前記閲覧者に前記メディアファイルを供給し、かつ
前記第１のキャンバス層ファイルによって定義されたハイパーメディアリンクに関する前記メディアファイルの前記閲覧者による選択アクションがない場合、前記メディアファイルの前記閲覧者への供給は、前記１以上の第２のキャンバス層を表示することとは無関係であること、
前記第２のキャンバス層ファイルによって定義されたハイパーメディアリンクに関する前記メディアファイルの前記閲覧者による選択アクションがない場合、前記メディアファイルの前記閲覧者への供給は、前記グラフィカルユーザインタフェースを表示することとは無関係であること、
前記第１のキャンバス層ファイル内の前記１セットの１以上の座標によって定義されるハイパーメディアリンクに関する前記メディアファイルの前記閲覧者による選択アクション時に、前記メディアファイルの前記閲覧者への供給は、前記メディアファイルと併せて前記１以上の第２のキャンバス層を供給することをさらに備えること、
前記第２のキャンバス層ファイル内の前記１セットの１以上の座標によって定義されるハイパーメディアリンクに関する前記メディアファイルの前記閲覧者による選択アクション時に、前記メディアファイルの前記閲覧者への供給は、前記メディアファイルと併せて前記グラフィカルユーザインタフェースを供給することをさらに備えること、のうちの少なくとも１つを備える、システム。
【請求項１１】
１以上の遠隔サーバをさらに備え、各遠隔サーバは、
前記インタラクティブメディアファイルを実行するように構成されるメディアプレーヤをホストする第２のプロセッサと、ここで、前記遠隔サーバは、前記開発サーバから前記インタラクティブメディアファイルを要求するように構成され、
前記１以上の各遠隔サーバは、地理的位置および時間に関係なく前記インタラクティブメディアファイルにアクセスするユーザに、前記第１のキャンバスファイルおよび前記第２のキャンバスファイルのうちの少なくとも１つで定義されたコンテンツとともに前記メディアファイルを送信および供給し、前記ユーザによる前記ハイパーメディアリンクの選択を受信して、前記ユーザへの前記第２のキャンバス層に関連付けられた前記ユーザインタフェースの表示をトリガし得る、請求項１０に記載のシステム。
【請求項１２】
１以上の遠隔サーバうちの１つの遠隔サーバから、前記インタラクティブメディアファイルを識別する埋め込みコードを含む要求を受信し、
前記１以上の遠隔サーバうちの前記１つの遠隔サーバからの前記要求を受信すると、前記インタラクティブメディアファイルをアセンブルし、
コンピュータと１以上の他のコンピュータとが接続されている通信ネットワークを介して、前記インタラクティブメディアファイルおよび前記埋め込みコードのうちの少なくとも１つを前記１以上の他のコンピュータに配信するように構成される、第２のプロセッサを含む前記コンピュータをさらに備え、
前記インタラクティブメディアファイルは、必要なすべてのメディアと、前記メディアファイルを表示し、前記ハイパーメディアリンクに関連付けられた機能を前記閲覧者に提供するために必要なその他の情報を含み、
前記１以上の他のコンピュータは、いずれかの他のメディアファイルの受信や追加に関係なく、前記インタラクティブメディアファイルを再生し得る、請求項１０に記載のシステム。
【請求項１３】
前記インタラクティブメディアファイルは、第１の構成および第２の構成のうちの少なくとも１つをサポートし、
前記第１の構成では、
前記第１のキャンバス層ファイル内の前記１セットの１以上の座標によって定義されるハイパーメディアリンクに関する前記メディアファイルの前記閲覧者による選択アクション時に、後続ユーザのために、スタック内の選択されたハイパーメディアリンクに関連する第１のデータを保存し、前記メディアファイルと併せて前記１以上の第２のキャンバス層を前記閲覧者に表示せず、かつ
ハイパーメディアリンクアイコンと前記ユーザが選択したアクションごとに増分されるカウンタとを表示すること、および
前記メディアファイルの供給完了時に、前記ハイパーメディアリンクアイコンと、前記メディアファイルの供給中に前記ユーザが行った選択アクションの数を示すカウンタとを表示すること、および
前記ユーザによる前記ハイパーメディアリンクアイコンの選択時に、前記グラフィカルユーザインタフェース内で前記ユーザにマイクロＷｅｂサイトを表示し、前記マイクロＷｅｂサイトは複数のセクションを含み、各セクションは、複数のハイパーメディアリンクのうちの選択されたハイパーメディアリンクについて保存された前記第１のデータに依拠して確立された製品およびサービスの少なくとも１つに関連することのうちの少なくとも１つであり、
前記第２の構成では、
前記第２のキャンバス層ファイル内の前記１セットの１以上の座標によって定義されるハイパーメディアリンクに関する前記メディアファイルの前記閲覧者による選択アクション時に、後続ユーザのために、スタック内の選択されたハイパーメディアリンクに関連する第２のデータを保存し、前記メディアファイルと併せて前記グラフィカルユーザインタフェースを前記閲覧者に表示せず、
前記ハイパーメディアリンクアイコンと、前記ユーザが選択したアクションごとに増分されるカウンタとを表示すること、および
前記メディアファイルの供給完了時に、前記ハイパーメディアリンクアイコンと、前記メディアファイルの供給中に前記ユーザが行った選択アクションの数を示すカウンタとを表示すること、および
前記ユーザによる前記ハイパーメディアリンクアイコンの選択時に、前記グラフィカルユーザインタフェース内で前記ユーザにマイクロＷｅｂサイトを表示し、前記マイクロＷｅｂサイトは複数のセクションを含み、各セクションは、複数のハイパーメディアリンクのうちの選択されたハイパーメディアリンクについて保存された前記第２のデータに依拠して確立された製品およびサービスの少なくとも１つに関連することのうちの少なくとも１つである、請求項１０に記載のシステム。
【請求項１４】
前記インタラクティブメディアファイルは、第１の構成、第２の構成、および第３の構成のうちの少なくとも１つをサポートし、
前記第１の構成では、前記グラフィカルユーザインタフェースに供給された場合、前記第１のキャンバス層ファイルは、前記メディアファイル上に視覚要素を表示し、ここで、前記視覚要素は、前記ハイパーメディアリンクが１以上の第２のキャンバス層の表示をトリガし、前記ハイパーメディアリンクの存在を示すように構成される前記１セットの１以上の座標のセットによって定義され、
前記第２の構成では、前記グラフィカルユーザインタフェースに供給された場合、前記第１のキャンバス層ファイルは、前記メディアファイル上に視覚要素を表示し、ここで、前記視覚要素は、１以上の第２のキャンバス層の表示をトリガし、かつ前記ハイパーメディアリンクの存在および前記メディアファイルの前記閲覧者の動作、前記メディアファイルのプロバイダの動作、前記閲覧者によってアクセスされる前記メディアファイルに関連付けられたウェブサイトのプロバイダの動作のうちの少なくとも１つに依拠して確立された前記視覚要素の視覚的外観を定義するパラメータを示す前記ハイパーメディアリンクとして構成される前記１セットの１以上の座標と前記メディアファイルのマルチメディアコンテンツとの両方によって定義され、ならびに
前記第３の構成では、前記グラフィカルユーザインタフェースに供給された場合、前記第１のキャンバス層ファイルは、前記メディアファイル上に視覚要素を表示し、ここで、前記視覚要素は、閲覧者に現在供給されている前記メディアファイルの一部内で現在アクティブなハイパーメディアリンクの数を示す、請求項１０に記載のシステム。
【請求項１５】
メディア層ファイル、第１のキャンバスファイル、および第２のキャンバスファイルを含むインタラクティブメディアファイルを実行し、
開発サーバから前記インタラクティブメディアファイルを要求するように構成されるメディアプレーヤをホストするプロセッサを備える遠隔サーバを備え、
前記第１のキャンバスファイルは、前記メディア層ファイルに対応し、１以上の第２のキャンバス層の表示をトリガするハイパーメディアリンクを含む１セットの１以上の座標を定義するプログラムコードを備え、
前記インタラクティブメディアファイルの閲覧者は、前記グラフィカルユーザインタフェースに表示された場合、前記１セットの１以上の座標に関連付けられた前記グラフィカルユーザインタフェース内のユーザアクションによって前記ハイパーメディアリンクを選択でき、
前記１セットの１以上の座標は、前記ハイパーメディアリンクが、前記メディア層ファイルが生成されるメディアファイル内のビジュアルコンテンツの所定の部分に関連付けられるように構成され、
遠隔サーバが、地理的位置および時間に関係なく前記インタラクティブメディアファイルにアクセスするユーザに、前記第１のキャンバスファイルおよび前記第２のキャンバスファイルのうちの少なくとも１つで定義されたコンテンツとともに前記メディアファイルを送信および供給し、前記ユーザによる前記ハイパーメディアリンクの選択を受信して、前記ユーザへの前記第２のキャンバス層に関連付けられた前記ユーザインタフェースの表示をトリガし得、
前記第１のキャンバス層ファイルによって定義されたハイパーメディアリンクに関する前記メディアファイルの前記閲覧者による選択アクションがない場合、前記メディアファイルは、前記１以上の第２のキャンバス層を表示することとは無関係に前記閲覧者に表示され、
前記第２のキャンバス層ファイルによって定義されたハイパーメディアリンクに関する前記メディアファイルの前記閲覧者による選択アクションがない場合、前記メディアファイルは、前記グラフィカルユーザインタフェースを表示することとは無関係に前記閲覧者に表示され、
前記第１のキャンバス層ファイル内の前記１セットの１以上の座標によって定義されるハイパーメディアリンクに関する前記メディアファイルの前記閲覧者による選択アクション時に、前記メディアファイルと併せて前記１以上の第２のキャンバス層を前記閲覧者に表示し、
前記第２のキャンバス層ファイル内の前記１セットの１以上の座標によって定義されるハイパーメディアリンクに関する前記メディアファイルの前記閲覧者による選択アクション時に、前記メディアファイルと併せて前記グラフィカルユーザインタフェースを前記閲覧者に表示する、システム。
【請求項１６】
設計者装置から受信した１以上の入力による前記メディア層ファイル、前記第１のキャンバスファイル、および前記第２のキャンバスファイルを生成するように構成された開発アプリケーションをホストするプロセッサを含む開発サーバをさらに備え、
前記開発サーバはさらに、前記メディア層ファイル、前記第１のキャンバスファイル、および前記第２のキャンバスファイルに基づいて前記インタラクティブメディアファイルをアセンブルし、前記インタラクティブメディアファイルを前記遠隔サーバに送信するようにさらに構成されている、請求項１５に記載のシステム。
【請求項１７】
１以上の遠隔サーバうちの１つの遠隔サーバから、前記インタラクティブメディアファイルを識別する埋め込みコードを含む要求を受信し、
前記１以上の遠隔サーバうちの前記１つの遠隔サーバからの前記要求を受信すると、前記インタラクティブメディアファイルをアセンブルし、
コンピュータと１以上の他のコンピュータとが接続されている通信ネットワークを介して、前記インタラクティブメディアファイルおよび前記埋め込みコードのうちの少なくとも１つを前記１以上の他のコンピュータに配信するように構成される、第２のプロセッサを含む前記コンピュータをさらに備え、
前記インタラクティブメディアファイルは、必要なすべてのメディアと、前記メディアファイルを表示し、前記ハイパーメディアリンクに関連付けられた機能を前記閲覧者に提供するために必要なその他の情報を含み、
前記１以上の他のコンピュータは、いずれかの他のメディアファイルの受信や追加に関係なく、前記インタラクティブメディアファイルを再生し得る、請求項１５に記載のシステム。
【請求項１８】
前記インタラクティブメディアファイルは、第１の構成および第２の構成のうちの少なくとも１つをサポートし、
前記第１の構成では、
前記第１のキャンバス層ファイル内の前記１セットの１以上の座標によって定義されるハイパーメディアリンクに関する前記メディアファイルの前記閲覧者による選択アクション時に、後続ユーザのために、スタック内の選択されたハイパーメディアリンクに関連する第１のデータを保存し、前記メディアファイルと併せて前記１以上の第２のキャンバス層を前記閲覧者に表示せず、かつ
ハイパーメディアリンクアイコンと前記ユーザが選択したアクションごとに増分されるカウンタとを表示すること、および
前記メディアファイルの供給完了時に、前記ハイパーメディアリンクアイコンと、前記メディアファイルの供給中に前記ユーザが行った選択アクションの数を示すカウンタとを表示すること、および
前記ユーザによる前記ハイパーメディアリンクアイコンの選択時に、前記グラフィカルユーザインタフェース内で前記ユーザにマイクロＷｅｂサイトを表示し、前記マイクロＷｅｂサイトは複数のセクションを含み、各セクションは、複数のハイパーメディアリンクのうちの選択されたハイパーメディアリンクについて保存された前記第１のデータに依拠して確立された製品およびサービスの少なくとも１つに関連することのうちの少なくとも１つであり、
前記第２の構成では、
前記第２のキャンバス層ファイル内の前記１セットの１以上の座標によって定義されるハイパーメディアリンクに関する前記メディアファイルの前記閲覧者による選択アクション時に、後続ユーザのために、スタック内の選択されたハイパーメディアリンクに関連する第２のデータを保存し、前記メディアファイルと併せて前記グラフィカルユーザインタフェースを前記閲覧者に表示せず、
前記ハイパーメディアリンクアイコンと、前記ユーザが選択したアクションごとに増分されるカウンタとを表示すること、および
前記メディアファイルの供給完了時に、前記ハイパーメディアリンクアイコンと、前記メディアファイルの供給中に前記ユーザが行った選択アクションの数を示すカウンタとを表示すること、および
前記ユーザによる前記ハイパーメディアリンクアイコンの選択時に、前記グラフィカルユーザインタフェース内で前記ユーザにマイクロＷｅｂサイトを表示し、前記マイクロＷｅｂサイトは複数のセクションを含み、各セクションは、複数のハイパーメディアリンクのうちの選択されたハイパーメディアリンクについて保存された前記第２のデータに依拠して確立された製品およびサービスの少なくとも１つに関連することのうちの少なくとも１つである、請求項１５に記載のシステム。
【請求項１９】
前記インタラクティブメディアファイルは、第１の構成、第２の構成、および第３の構成のうちの少なくとも１つをサポートし、
前記第１の構成では、前記グラフィカルユーザインタフェースに供給された場合、前記第１のキャンバス層ファイルは、前記メディアファイル上に視覚要素を表示し、ここで、前記視覚要素は、前記ハイパーメディアリンクが１以上の第２のキャンバス層の表示をトリガし、前記ハイパーメディアリンクの存在を示すように構成される前記１セットの１以上の座標のセットによって定義され、
前記第２の構成では、前記グラフィカルユーザインタフェースに供給された場合、前記第１のキャンバス層ファイルは、前記メディアファイル上に視覚要素を表示し、ここで、前記視覚要素は、１以上の第２のキャンバス層の表示をトリガし、かつ前記ハイパーメディアリンクの存在および前記メディアファイルの前記閲覧者の動作、前記メディアファイルのプロバイダの動作、前記閲覧者によってアクセスされる前記メディアファイルに関連付けられたウェブサイトのプロバイダの動作のうちの少なくとも１つに依拠して確立された前記視覚要素の視覚的外観を定義するパラメータを示す前記ハイパーメディアリンクとして構成される前記１セットの１以上の座標と前記メディアファイルのマルチメディアコンテンツとの両方によって定義され、ならびに
前記第３の構成では、前記グラフィカルユーザインタフェースに供給された場合、前記第１のキャンバス層ファイルは、前記メディアファイル上に視覚要素を表示し、ここで、前記視覚要素は、閲覧者に現在供給されている前記メディアファイルの一部内で現在アクティブなハイパーメディアリンクの数を示す、請求項１５に記載のシステム。
【発明の詳細な説明】
【技術分野】
【０００１】
関連出願の相互参照
本非仮出願は、２０１４年１０月２７日に提出された米国仮出願第６２／０６８，８６７号「マルチメディアコンテンツ用の方法およびシステム」に優先権を主張し、全文を本明細書に援用する。
【０００２】
本発明は、二次マルチメディアコンテンツを一次マルチメディアコンテンツに対応付けるハイパーメディアリンクに関し、特に、マイクロドメインとマイクロウェブサイトを介した、二次マルチメディアコンテンツの一次マルチメディアコンテンツへの自己完結型リンク付け／埋込みに関する。
【背景技術】
【０００３】
インターネットは、標準インターネットプロトコルスイート通信プロトコル、たとえば、ＴＣＰ／ＩＰを使用して、世界中の数十億個の装置をリンク付けする相互接続コンピュータネットワークのグローバルシステムである。実質上、インターネットは、広範な電子、無線、光技術によってリンク付けされる地域および世界の無数の民間、公的、学会、産業界、政府ネットワークから成るネットワークのうちの１つである。インターネットは、幅広い情報源およびサービス、たとえば、ワールドワイドウェブ（ＷＷＷ）の相互リンク付けされたハイパーテキスト文書およびアプリケーション、ｅメールをサポートするインフラ、並びにファイル共有および電話通信用のピアツーピアネットワークなどを支える。
【０００４】
同時に、今日の無線通信システムは、いかにして消費者、広告主、企業が、テキスト、電子メール、映像、マルチメディア、および従来型電話サービス（ＰＯＴＳ）などを含む様々なフォーマットだけでなく、携帯電話（セルフォン）、携帯情報端末（ＰＤＡ）、ラップトップ、タブレットＰＣ、携帯マルチメディアプレーヤ、および携帯ゲームコンソールなどの様々な携帯無線装置を通じた、対話、通信、情報交換、記憶、利用を根本から変革している。これまでは大型の嵩高いパーソナルコンピュータまたはコンピュータ端末を通じてしかアクセスできなかった電子コンテンツも、半導体電子機器、ディスプレイ、無線通信の進歩と共に、ユーザが移動するほぼすべての場所で、軽量携帯装置を使用してアクセス可能となった。
【０００５】
２０１４年４月の時点で、約３０億人、世界人口の約４０％がインターネット接続を利用している。過去３０年以上にわたって、電話、音楽、映画、テレビを含む大半の伝統的通信メディアは、インターネットによって再構築または再定義され、ボイスオーバインターネットプロトコル（ＶｏＩＰ）やインターネットプロトコルテレビジョン（ＩＰＴＶ）などの新たなサービスを生み続けている。新聞、書籍、その他の出版物は、ウェブサイト技術に対応しつつある、あるいは、ブログおよびウェブフィードに再構築されつつある。インターネットは、インスタントメッセージ、インターネットフォーラム、ソーシャルネットワーキングを通じた新しい形式の人的相互作用を可能にし、加速させた。オンラインショッピングは、大規模な小売店および小規模な職人や商人の両方を活気づけてきた。インターネット上の企業間および金融サービスは、産業全体にわたるサプライチェーンに影響を及ぼす。
【０００６】
しかしながら、こうしたあらゆる進歩にかかわらず、ユーザとユーザがアクセスし閲覧するコンテンツとのエンゲージメントのいくつかの基本的側面はほぼ変化していない。今日、ストリーミングメディアは主要な成長分野である。２０１４年中盤の時点で、ストリーミング映像はインターネットトラフィックの３分の１超を占め、通常のテレビ視聴時間中、平均して、人々はテレビよりもインターネットに２倍の時間を費やす。ストリーミング映像はその大きなデータ需要により、北米などの地域では、すべてのインターネットトラフィックの約７５％を占める。しかし、ユーザの体験は同じであり、視聴するコンテンツを選択して、それを視聴するというものである。コンテンツの配信中に限定されず、ユーザは望むときはいつでも閲覧の開始、一時停止、再開などを選択することができる。基本的には、過去約４０年間にわたってビデオレコーダと全く同じ機能が提供されてきた。ウェブサイト内からアクセスされる場合でさえ、閲覧者に提供される機能は全く新しいものではない。映像コンテンツの多くの生成者、たとえば、広告主、音楽会社などは、閲覧している映像を他のものに変換するため、複数の他のインターネットおよびウェブエレメントにいまだ依存している。
【０００７】
したがって、ユーザが共用可能マルチメディアコンテンツエレメントにおいてマルチメディアコンテンツを直接視聴することを通じて、閲覧者のエンゲージメントとトランザクションを円滑化する手段をマルチメディアコンテンツ製作者に提供することが有益であろう。また、共用可能マルチメディアコンテンツのアイテムまたはそのエレメントへのアクセスおよびエンゲージメントを通じて、閲覧者に拡張性コンテンツを提供することも有益であろう。 
【０００８】
したがって、以下を簡易化するマルチメディアコンテンツを提供することが有益であろう。
ユーザが、共有可能なウェブベースの一次マルチメディアコンテンツ内で直接トランザクションを実行すること；
ユーザが、共有可能なウェブベースの一次マルチメディアコンテンツ内で関連する他の機能を完了すること；
ユーザが、共有可能なウェブベースの一次マルチメディアコンテンツに、二次マルチメディアコンテンツおよびウェブサイト機能を埋め込むこと；
ユーザが、コンテンツの収益化、閲覧者のアナリティックス、配信管理を可能にしつつ、一次マルチメディアコンテンツをインタラクティブにすること；
ユーザが、二次マルチメディアコンテンツをブラウズし、ユーザが閲覧している一次マルチメディアコンテンツに対応付けられる二次マルチメディアコンテンツなどにアクセスすること；
ユーザが、製品を購入し、調査に参加し、スケジュールを閲覧し、他のアクションを実行すること；
ウェブサイトの別の分離エレメントではなく、マルチメディアコンテンツにアクセスする流動的手段となるように、一次マルチメディアコンテンツのアイテム内にウェブサイト機能を設けることと；
一次マルチメディアコンテンツがマイクロウェブサイトであること。
【０００９】
本発明の他の側面および特徴は、添付図面と併せて、本発明の特定の実施形態に関する以下の説明を参照すれば、当業者にとって自明になるであろう。
【発明の概要】
【００１０】
本発明の目的は、二次マルチメディアコンテンツを一次マルチメディアコンテンツに対応付けるハイパーメディアリンク、特に、マイクロドメインとマイクロウェブサイトを通じた二次マルチメディアコンテンツの一次マルチメディアコンテンツへの自己完結型リンク付け／埋込みを利用することによって、豊富なマルチメディア環境をユーザに提供することに関する従来技術の制約に対応することである。
【００１１】
１実施形態によると、コンピュータ実行方法は、コンピュータによって、グラフィカルユーザインタフェースに表示されるように構成されるメディアファイルの記憶位置を示すプログラムコードを備えるメディア層ファイルを生成することと、コンピュータによって、メディア層に対応し、１以上の第２のキャンバス層の表示をトリガするハイパーメディアリンクとして構成される１セットの１以上の座標を定義するプログラムコードを備える第１のキャンバス層ファイルを生成することと、コンピュータによって、第１のキャンバス層とメディア層に対応し、ユーザインタフェースの表示をトリガするハイパーメディアリンクとして構成される１セットの１以上の座標を定義するプログラムコードを備え、エンドユーザ装置と第三者サーバ間のデータ通信を行うように構成される第２のキャンバス層を生成することと、コンピュータによって、メディア層、第１のキャンバス層、および第２のキャンバス層の各自のプログラムコードに基づき、インタラクティブメディアファイルをアセンブルすることと、を備える。
【００１２】
別の実施形態によると、システムは、設計者装置から受信する１以上の入力に応じて、メディア層ファイル、第１のキャンバスファイル、および第２のキャンバスファイルを生成するように構成される開発アプリケーションのホストとなるプロセッサを備える開発サーバであって、メディア層ファイル、キャンバスファイル、および第２のキャンバスファイルに基づき、インタラクティブメディアファイルをアセンブルし、インタラクティブメディアファイルを１以上の遠隔サーバに送信するようにさらに構成される開発サーバと、インタラクティブメディアファイルを実行するように構成されるメディアプレーヤをホストするプロセッサを備える遠隔サーバであって、開発サーバからインタラクティブメディアファイルを要求するように構成される遠隔サーバと、を備える。
【００１３】
別の実施形態によると、方法は、一次マルチメディアコンテンツのアイテムをディスプレイの第１の層としてユーザに表示することと、複数のハイパーメディアリンクアイコンのうち少なくとも１つのハイパーメディアリンクアイコンを備えるディスプレイの第２の層をディスプレイの第１の層に重ね合わせることと、を備え、複数のハイパーメディアリンクアイコンのうち少なくとも１つのハイパーメディアリンクアイコンが選択されると、ディスプレイの第３の層内にマイクロウェブサイトを開き表示する。
【００１４】
別の実施形態によると、上記のマルチメディアコンテンツに関する方法では、マイクロウェブサイトは複数のハイパーメディアリンクアイコンのうち少なくとも１つのハイパーメディアリンクアイコンに応じて選択される複数のマイクロウェブサイトのうちの１つである；複数のハイパーメディアリンクアイコンのうち少なくとも１つのハイパーメディアリンクアイコンが選択されると、一次マルチメディアコンテンツのアイテムが一時停止する；複数のハイパーメディアリンクアイコンのうち少なくとも１つのハイパーメディアリンクアイコンが一次マルチメディアコンテンツ内のアイテムに対応付けられ、マイクロウェブサイトにより、ユーザが、別のウェブページにアクセスせずに、複数のハイパーメディアリンクアイコンのうち少なくとも１つのハイパーメディアリンクアイコンに対応付けられるアイテムを購入することができる；複数のハイパーメディアリンクアイコンのうち少なくとも１つのハイパーメディアリンクアイコンが一次マルチメディアコンテンツ内のアイテムに対応付けられ、マイクロウェブサイトにより、ユーザが、一次マルチメディアコンテンツ内のアイテムに対応付けられる二次マルチメディアコンテンツにアクセスし閲覧することができる；のうち少なくとも１つである。
【００１５】
別の実施形態によると、上述のマルチメディアコンテンツに関連する方法では、複数のハイパーメディアリンクアイコンのうち少なくとも１つのハイパーメディアリンクアイコンは、ユーザに対して可視である、ユーザに対して不可視である、複数のハイパーメディアリンクアイコンのうち少なくとも１つのハイパーメディアリンクアイコンに対する一次マルチメディアコンテンツ内のアイテムの画像への変更として表示される、複数のハイパーメディアリンクアイコンのうち少なくとも１つのハイパーメディアリンクアイコンに対する一次マルチメディアコンテンツ内のアイテムのサムネイル画像として表示される；複数のハイパーメディアリンクアイコンのうち少なくとも１つのハイパーメディアリンクアイコンが一次マルチメディアコンテンツ内のアイテムに対応付けられ、マイクロウェブサイトにより、ユーザが一次マルチメディアコンテンツ内のアイテムに対応付けられる二次マルチメディアコンテンツにアクセスして閲覧する結果、一次マルチメディアコンテンツ内のアイテムが選択されると、閲覧者がアクセスして一次マルチメディアコンテンツを閲覧したウェブページを変更せずに、一次マルチメディアコンテンツへのオーバーレイとして二次マルチメディアコンテンツがユーザに提示される；のうちの少なくとも１つである。
【００１６】
別の実施形態によると、方法は、ユーザに提示されるディスプレイの第２の層としてハイパーメディアリンクアイコンを提供することによって、一次マルチメディアコンテンツ内のアイテムに関連するユーザにコンテンツを表示することを備え、ディスプレイの第１の層が一次マルチメディアコンテンツであり、ハイパーメディアリンクアイコンが選択されると、コンテンツが、一次マルチメディアコンテンツの所定部分へのオーバーレイとして表示されるマイクロウェブサイト内でユーザに対して提示される。
【００１７】
別の実施形態によると、上記のマルチメディアコンテンツに関連する方法では、ハイパーメディアリンクアイコンとマイクロウェブサイトが一次マルチメディアコンテンツに対応付けられる。
【００１８】
別の実施形態によると、方法は、一次マルチメディアコンテンツを共有することを備え、ユニフォームリソースロケータおよび埋込コードを提供することは、ハイパーメディアリンクアイコンとマイクロウェブサイトの少なくとも一方を提供することに関連し、該少なくとも一方が、別のウェブページに移動せずに、一次マルチメディアコンテンツの閲覧者を二次マルチメディアコンテンツにアクセスさせる。
【００１９】
別の実施形態によると、方法は、一次マルチメディアコンテンツ、一次マルチメディアコンテンツの表示画像内のハイパーメディアリンクアイコンの位置、ハイパーメディアリンクアイコンを表示する時間、ハイパーメディアリンクアイコンの大きさと関連させて、一時的ハイパーメディアリンクアイコンをアクティブにすることと、ハイパーメディアリンクアイコンを二次マルチメディアコンテンツの少なくとも１つのアイテムに対応付けることと、を備え、アクティブ期間にわたって閲覧者が一時的ハイパーメディアリンクアイコンを選択することに基づき、二次マルチメディアコンテンツが一次マルチメディアコンテンツの閲覧者に提示される。
【００２０】
本発明の他の側面および特徴は、添付図面と併せて、本発明の特定の実施形態に関する以下の説明を参照すれば、当業者にとって自明になるであろう。
【図面の簡単な説明】
【００２１】
本発明の実施形態を、例示のためのみ、添付図面を参照して以下説明する。
【００２２】
【図１Ａ】図１Ａは、ハイパーメディアコンテンツに関する本発明の実施形態を採用することができるネットワーク環境を示す。
【００２３】
【図１Ｂ】図１Ｂは、本発明の１実施形態による、ハイパーメディアコンテンツの提供およびサポートのためのサーバおよびポータルベースのインフラストラクチャの要素を示す。
【００２４】
【図１Ｃ】図１Ｃは、図１Ａに示すようなネットワークとの通信、および本発明の実施形態をサポートする無線携帯用電子機器を示す。
【００２５】
【図２】図２は、発明の実施形態による、ユーザに提供されるマルチメディアコンテンツ内のハイパーメディアリンクの視覚的インジケータを示す。
【００２６】
【図３】図３は、本発明の１実施形態による、ユーザに提示されるマルチメディアコンテンツ内のハイパーメディアリンクに関連する視覚的インジケータの進展を示す。
【００２７】
【図４Ａ】図４Ａは、マルチメディアコンテンツ内のハイパーメディアリンクの選択に基づき、本発明の１実施形態による、ユーザに提示されるマルチメディアコンテンツ内のマイクロウェブサイトの生成を示す。
【図４Ｂ】図４Ｂは、マルチメディアコンテンツ内のハイパーメディアリンクの選択に基づき、本発明の１実施形態による、ユーザに提示されるマルチメディアコンテンツ内のマイクロウェブサイトの生成を示す。
【００２８】
【図５】図５は、マルチメディアコンテンツ内のハイパーメディアリンクの選択に基づき、本発明の１実施形態による、ユーザに提示されるマルチメディアコンテンツ内のマイクロウェブサイトの移動を示す。
【００２９】
【図６】図６は、本発明の１実施形態による、ユーザに提示されるマルチメディアコンテンツ内のハイパーメディアリンクに関連する視覚的インジケータの進展を示す。
【００３０】
【図７】図７は、本発明の１実施形態による、ユーザに提示されるマルチメディアコンテンツ内のマイクロウェブサイトの生成および進展を示す。
【００３１】
【図８】図８は、本発明の１実施形態による、ユーザに提示されるマルチメディアコンテンツのアイテム内で以後の閲覧およびアクセスのために複数のハイパーメディアリンクを選択することを示す。
【００３２】
【図９】図９は、本発明の１実施形態による、ユーザによって選択され、ユーザに提示されるマルチメディアコンテンツのアイテムと対応付けられる複数のハイパーメディアリンクの以後の検索を示す。
【００３３】
【図１０Ａ】図１０Ａは、本発明の１実施形態による、ユーザに提示されるマルチメディアコンテンツ内のハイパーメディアリンクに関して閲覧者に提示される別の通知を示す。
【図１０Ｂ】図１０Ｂは、本発明の１実施形態による、ユーザに提示されるマルチメディアコンテンツ内のハイパーメディアリンクに関して閲覧者に提示される別の通知を示す。
【図１０Ｃ】図１０Ｃは、本発明の１実施形態による、ユーザに提示されるマルチメディアコンテンツ内のハイパーメディアリンクに関して閲覧者に提示される別の通知を示す。
【図１０Ｄ】図１０Ｄは、本発明の１実施形態による、ユーザに提示されるマルチメディアコンテンツ内のハイパーメディアリンクに関して閲覧者に提示される別の通知を示す。
【図１０Ｅ】図１０Ｅは、本発明の１実施形態による、ユーザに提示されるマルチメディアコンテンツ内のハイパーメディアリンクに関して閲覧者に提示される別の通知を示す。
【図１０Ｆ】図１０Ｆは、本発明の１実施形態による、ユーザに提示されるマルチメディアコンテンツ内のハイパーメディアリンクに関して閲覧者に提示される別の通知を示す。
【００３４】
【図１１】図１１は、本発明の１実施形態による、ユーザに提示されるマルチメディアコンテンツ内のハイパーメディアリンクの設定を示す。
【００３５】
【図１２】図１２は、本発明の１実施形態による、ユーザに提示されるマルチメディアコンテンツ内のハイパーメディアリンクの設定を示す。
【００３６】
【図１３】図１３は、例示的１実施形態による、インタラクティブメディアの開発および配信を行う例示的システムのコンポーネントを示す。
【００３７】
【図１４】図１４は、例示的１実施形態による、任意の数の装置に配信することができる新たなインタラクティブメディアプロジェクトを生成する例示的方法の実行を示す。
【００３８】
【図１５】図１５は、例示的１実施形態による、要求されたインタラクティブメディアファイルを要求元の装置に配信する例示的方法１７００の実行を示す。
【発明を実施するための形態】
【００３９】
本発明は、二次マルチメディアコンテンツを一次マルチメディアコンテンツに対応付けるハイパーメディアリンクに関し、特に、マイクロドメインおよびマイクロウェブサイトを通じた、二次マルチメディアコンテンツの一次マルチメディアコンテンツへの自己完結型リンク付け／埋込みに関する。
【００４０】
以下の説明は単に例示的実施形態を提供するものであり、本開示の範囲、可用性、または構成を限定することを目的としていない。むしろ、例示的実施形態の以下の説明は、当業者が例示的１実施形態を実行できるような説明を提供するものである。添付の請求項に記載する精神および範囲を逸脱せずに、構成要素の機能および構造に様々な変更を加えることができると理解される。
【００４１】
本明細書で使用する場合、本開示全体を通じて「携帯電子機器」（ＰＥＤ）は、バッテリまたはその他の独立した電力エネルギー源を必要とする通信およびその他の用途に使用される無線装置に関する。これは、携帯電話、スマートフォン、携帯情報端末（ＰＤＡ）、携帯コンピュータ、ポケットベル、携帯マルチメディアプレーヤ、携帯ゲームコンソール、ラップトップコンピュータ、タブレットコンピュータ、電子リーダなどを含むが、それらに限定されない。
【００４２】
本明細書で使用する場合、本開示全体を通じて「固定電子装置」（ＦＥＤ）は、電力を得るために固定インタフェースへの接続を必要とする通信およびその他の用途に使用される無線および／または有線装置を指す。これは、ラップトップコンピュータ、パーソナルコンピュータ、コンピュータサーバ、キオスク、ゲームコンソール、デジタルセットトップボックス、アナログセットトップボックス、インターネット対応機器、インターネット対応テレビ、マルチメディアプレーヤを含むが、それらに限定されない。
【００４３】
本明細書で使用する場合、「アプリケーション」（一般的には「アプリ」と称する）は、「ソフトウェアアプリケーション」、「ソフトウェアスイート」のエレメント、電子装置にアクティビティを実行させるように設計されるコンピュータプログラム、地域および／または遠隔電子装置と通信するように設計されるコンピュータプログラムを指すが、それらに限定されない。よって、アプリケーションは、（コンピュータを走らせる）オペレーティングシステム、（メンテナンスまたは汎用タスクを実行する）ユーティリティ、（コンピュータプログラムを作成する）プログラミングツールと異なる。概して、本発明の実施形態に関する以下の説明において、通常、アプリケーションは、ＰＥＤおよび／またはＦＥＤに永久的および／または一時的にインストールされるソフトウェアとして提示される。
【００４４】
本明細書で使用する場合、「ソーシャルネットワーク」または「ソーシャルネットワーキングサービス」は、たとえば、興味、活動、背景、または実世界での関係を共有することのできる人々の間でソーシャルネットワークまたは社交的関係を構築するプラットフォームを指すが、それらに限定されない。これは、Ｆａｃｅｂｏｏｋ、Ｇｏｏｇｌｅ＋、Ｔｕｍｂｌｒ、Ｔｗｉｔｔｅｒなどの米国ベースのサービスのソーシャルネットワークだけでなく、Ｎｅｘｏｐｉａ、Ｂａｄｏｏ、Ｂｅｂｏ、ＶＫｏｎｔａｋｔｅ、Ｄｅｌｐｈｉ、Ｈｉ５、Ｈｙｖｅｓ、ｉＷｉＷ、Ｎａｓｚａ−Ｋｌａｓａ、Ｓｏｕｐ、Ｇｌｏｃａｌｓ、Ｓｋｙｒｏｃｋ、Ｔｈｅ  Ｓｐｈｅｒｅ、ＳｔｕｄｉＶＺ、Ｔａｇｇｅｄ、Ｔｕｅｎｔｉ、ＸＩＮＧ、Ｏｒｋｕｔ、Ｍｘｉｔ、Ｃｙｗｏｒｌｄ、Ｍｉｘｉ、ｒｅｎｒｅｎ、ｗｅｉｂｏ、Ｗｒｅｔｃｈを含むが、それらに限定されない。
【００４５】
本明細書で使用する場合、「ソーシャルメディア」または「ソーシャルメディアサービス」は、人々が仮想コミュニティおよびネットワークにおいて情報およびアイデアを生成、共有、および／または交換する対話手段を指すが、それらに限定されない。これは、雑誌、インターネットフォーラム、ウェブログ、ソーシャルブログ、ミニブログ、ウィキペディア、ソーシャルネットワーク、ポッドキャスト、写真または絵、映像、格付け、ソーシャルブックマークに関するソーシャルメディアサービスだけでなく、ブログ、写真共有、映像投稿、掲示板投稿、音楽共有、クラウドソーシング、ボイスオーバＩＰなどを活用するサービスを含むが、それらに限定されない。ソーシャルメディアサービスは、たとえば、共同プロジェクト（たとえば、Ｗｉｋｉｐｅｄｉａ）；ブログおよびミニブログ（たとえば、ＴｗｉｔｔｅｒＴＭ）；コンテンツコミュニティ（たとえば、Ｙｏｕ  Ｔｕｂｅ（登録商標）やＤａｉｌｙ  Ｍｏｔｉｏｎ）；ソーシャルネットワーキングサイト（たとえば、ＦａｃｅｂｏｏｋＴＭ）；仮想ゲームワールド（たとえば、Ｗｏｒｌｄ  ｏｆ  ＷａｒｃｒａｆｔＴＭ）；仮想ソーシャルワールド（たとえばＳｅｃｏｎｄ  ＬｉｆｅＴＭ）に分類することができる。
【００４６】
本明細書で使用する場合、「企業」は、ユーザ、カスタマ、または消費者に対してサービスおよび／または製品を提供するプロバイダを指すことができるが、それらに限定されない。これは、小売店、店舗、市場、オンライン市場、製造業者、オンライン小売店、慈善団体、公共事業主、サービスプロバイダを含むが、それらに限定されない。上記企業は、会社によって直接所有または管理することができる、あるいは、フランチャイザーの指揮および管理下でフランチャイズによって所有または運営することができる。
【００４７】
本明細書で使用する場合、「サービスプロバイダ」は、企業および／または個人および／または個人の集団および／またはマイクロプロセッサを備える装置に対して、サービスおよび／または製品を提供する第三者プロバイダを指すことができるが、それらに限定されない。「サービスプロバイダ」は、小売店、店舗、市場、オンライン市場、製造業者、オンライン小売店、公共事業主、自社ブランドプロバイダ、サービスプロバイダを含むが、それらに限定されず、サービスおよび／または製品は、企業単独で、または企業とサービスプロバイダによって市場に出される、販売される、提供される、および／または流通される。
【００４８】
本明細書で使用する場合、「第三者」または「第三者プロバイダ」は、企業および／または個人および／または個人の集団および／またはマイクロプロセッサを備える装置へのサービスおよび／または製品のいわゆる「商業ベースの」プロバイダを指すことができるが、それらに限定されず、消費者および／またはカスタマは第三者と契約するが、興味のあるおよび／または購入するおよび／または受け取る実際のサービスおよび／または製品が、企業および／またはサービスプロバイダを通じて提供される。
【００４９】
本明細書で使用される場合、「ユーザ」は、バイオメトリックデータをユーザの近傍または遠隔で監視、取得、送信、処理、解析することなどができ、サービスプロバイダ、第三者プロバイダ、企業、ソーシャルネットワーク、ソーシャルメディアなどとの契約によって、ダッシュボード、ウェブサービス、ウェブサイト、ソフトウェアプラグイン、ソフトウェアアプリケーション、グラフィカルユーザインタフェースを介して、たとえば、電子コンテンツを取得する個人または個人の集団を指すことができるが、それらに限定されない。ユーザは、私人、団体および／または企業の被雇用者、社会事業団体のメンバー、慈善団体のメンバー、男性、女性、子供、ティーンエージャ、動物を含むが、それらに限定されない。最も広い意味では、ユーザは、ハイパーメディアリンクによりマルチメディアコンテンツを提示する電子装置および／または電子システムと相互作用する能力によって特徴付けることができるソフトウェアシステム、機械システム、ロボットシステム、アンドロイドシステムなどをさらに含むことができるが、それらに限定されない。
【００５０】
本明細書で使用するとき、「ユーザ情報」は、ユーザ挙動情報および／またはユーザプロフィール情報を指すことができるが、それらに限定されない。ユーザ情報は、ユーザのバイオメトリック情報、ユーザのバイオメトリック情報の推定または現在および／または過去のバイオメトリック情報から得られるユーザのバイオメトリック情報の予想／予測、ユーザ個人情報、ユーザの伝記的情報、ユーザの人口統計情報、ユーザの財務および／または金融商品情報も含むことができる。
【００５１】
「ウェアラブル装置」または「ウェアラブルセンサ」は、ユーザの衣服の下に、内に、と共に、または上に装着され、汎用または特定用途の情報技術およびメディア開発に関する「ウェアラブルコンピュータ」を含むより広範な汎用ウェアラブル技術の一部である小型電子装置に関する。上記ウェアラブル装置および／またはウェアラブルセンサは、スマートフォン、スマートウォッチ、ｅテキスタイル、スマートシャツ、活動追跡装置、スマートグラス、センサ（たとえば、環境的、医学的、生物学的、生理的、化学的、大気環境、位置、神経学的センサ）、医学システム（たとえば、薬物送達システム、医学検査システム、医学診断システム）、運動センサを含むことができるが、それらに限定されない。
【００５２】
本明細書で使用する場合、「電子コンテンツ」（「コンテンツ」または「デジタルコンテンツ」とも称する）は、記憶、送信、受信、および／または変換される際にデジタルデータの形式で存在する任意の種類のコンテンツを指す場合があるが、それらに限定されず、これらのステップのうちの１つ以上はアナログであってもよいが、通常はデジタルである。デジタルコンテンツの形式は、個々のファイルにデジタル形式で一斉通信される、ストリーミングされる、あるいは含まれる情報を含むが、それに限定されない。デジタルコンテンツの非限定的な種類は、ＭＰ３、ＪＰＧ、ＡＶＩ、ＴＩＦＦ、ＡＡＣ、ＴＸＴ、ＲＴＦ、ＨＴＭＬ、ＸＨＴＭＬ、ＰＤＦ、ＸＬＳ、ＳＶＧ、ＷＭＡ、ＭＰ４、ＦＬＶ、ＰＰＴなどの一般的なメディアタイプだけでなく他の種類も含む。デジタルコンテンツは、任意の種類のデジタル情報、たとえば、デジタル形式で更新された天気予報、ＧＰＳマップ、電子ブック、写真、映像、ＶｉｎｅＴＭ、ブログ投稿、ＦａｃｅｂｏｏｋＴＭ投稿、ＴｗｉｔｔｅｒＴＭツイート、オンラインＴＶなどを含むことができる。デジタルコンテンツは、ユーザのリクエストに応答して生成される、選択、作成、変更、送信されるデジタルデータのうち少なくとも１つのデジタルデータであり、このリクエストはたとえばクエリ、検索、トリガ、アラーム、メッセージであってもよい。
【００５３】
本明細書で使用する場合、「コンテンツ情報」は、コンテンツ機能、コンテンツ供給制約条件、コンテンツ機能またはコンテンツ供給制約条件（「コンテンツ導出情報」と称する）から導出される情報、および／またはコンテンツに関連する情報（「コンテンツ関連情報」と称する）の任意の組み合わせ、および上記情報の拡張（たとえば、コンテンツ関連情報から導出される情報）を指すことができるが、それらに限定されない。 
【００５４】
本明細書で使用する場合、「文書」という文言は、機械読取可能および機械記憶可能製品を指す場合があるが、それらに限定されない。文書は、ファイル、ファイルの組み合わせ、他のファイルへのリンクを埋めこんだ１つ以上のファイルであってもよい。ファイルは、テキスト、音声、画像、映像などの任意の種類とすることができる。エンドユーザに供給される文書の一部も文書の「コンテンツ」とみなすことができる。文書は、コンテンツ（文言や画像など）と、そのコンテンツ（たとえば、ｅメールフィールドと関連データ、ＨＴＭＬタグと関連データなど）の意味の表示との両方を含む「構造化データ」を含むことができる。インターネットのコンテキストでは、一般的な文書はウェブページである。ウェブページは、コンテンツを含むことが多く、埋込み情報（メタ情報、ハイパーリンクなど）および／または埋込命令（ＪａｖａＳｃｒｉｐｔ（登録商標）など）を含んでもよい。多くの場合、文書は一意のアドレス指定可能な記憶位置を有するため、インターネット上の情報にアクセスするのに使用される一意アドレスとして使用されるユニバーサルリソースロケータ（ＵＲＬ）などのアドレス指定可能位置によって一意に特定することができる。
【００５５】
本明細書で使用する場合、「文書情報」は、文書に含まれる情報、文書に含まれる情報から導き出される情報（「文書導出情報」と称する）、および／または文書に関連する情報（「文書関連情報」と称する）、および上記情報の拡張（たとえば、関連情報から導出される情報）を指すことができるが、それらに限定されない。文書導出情報の１例は、文書のテキストコンテンツに基づく分類である。文書関連情報の例は、インスタント文書とのリンクを有する他の文書からの文書情報、およびインスタント文書とリンクする他の文書からの文書情報を含む。
【００５６】
本明細書で使用する場合、「ユーザインタフェース」は「コントローラ」または「触覚インタフェース」とも称され、ユーザの１以上のアクションを捕捉し、これらをソフトウェアアプリケーションに供給する装置および／またはシステムを指すことができる。したがって、ユーザインタフェースは、画像捕捉／処理システム、動作認識システム、スタイラス、ウェアラブル装置、タッチスクリーン、キーパッド、マウス、タッチパッド、マイクロフォン、タブレット、加速度計、運動認識システムを含むことができる。
【００５７】
「ウェブサイト」はウェブサイトまたは単にサイトとも称され、通常は単独のウェブドメインから提供される１以上の関連ウェブページを指す。通常、ウェブサイトは、ユニフォームリソースロケータ（ＵＲＬ）として知られるインターネットアドレスを通じて、インターネットまたは民間ローカルエリアネットワークなどのネットワークを介してアクセス可能な少なくとも１つのウェブサーバをホストとする。ウェブページは、通常、ハイパーテキストマークアップ言語（たとえば、ＨＴＭＬまたはＸＨＴＭＬ）のフォーマット命令を差し込んだプレーンテキストで記述された文書であり、ハイパーテキスト転送プロトコル（ＨＴＴＰ）などのプロトコルを用いてアクセスおよび移送することができ、任意で暗号化（たとえば、ＨＴＴＰセキュア（ＨＴＴＰＳ））を採用してウェブページコンテンツのユーザにセキュリティとプライバシーを提供することができる。本発明の実施形態では、マイクロウェブサイトは、ハイパーメディアリンクを通じてしかユーザがアクセスできない一次マルチメディアコンテンツのアイテム内で、ハイパーメディアリンクから直接アクセスされるウェブサイトであり、マイクロウェブサイトのコンテンツは、一次マルチメディアコンテンツ内で二次マルチメディアコンテンツとしてユーザに提示される。本発明の実施形態によると、マイクロウェブサイトは、たとえば、一次マルチメディアコンテンツのホストとして機能する、アクセス時に配信する、一次マルチメディアコンテンツと無関係に遠隔でホストとして機能する、ネットワーク接続でのみ表示される、および／またはアクセス可能である、一次マルチメディアコンテンツと対応付ける、一次マルチメディアコンテンツ内に記憶し埋め込む、あるいは一次マルチメディアコンテンツと別に記憶することができる。
【００５８】
「ウェブドメイン」は、「ドメイン名」または単に「ドメイン」とも称され、より厳密には、完全ドメイン名とも称される完全修飾ドメイン名であり、ドメイン名システムのツリー階層中の正確な位置を特定するドメイン名である。ウェブドメインは、最上位ドメインおよびルートゾーンを含むすべてのドメインレベルを特定する。完全修飾ドメイン名は曖昧さの欠如により区別し、一意に解釈することができる。本発明の実施形態では、マイクロドメインは、ハイパーメディアリンクを通じてしかユーザがアクセスできない一次マルチメディアコンテンツのアイテム内で、ハイパーメディアリンクから直接アクセスされるドメインであり、マイクロドメインのコンテンツは、一次マルチメディアコンテンツ内で二次マルチメディアコンテンツとしてユーザに提示される。
【００５９】
ウェブサイトの中には、コンテンツの一部または全部にアクセスするための契約を必要とするものもある。契約ウェブサイトはたとえば、多数のビジネスサイト、ニュースウェブサイト、学会誌ウェブサイト、ゲームウェブサイト、ファイル共有ウェブサイト、掲示板、ウェブベースのｅメール、ソーシャルネットワーキングウェブサイト、リアルタイム株式市場データを提供するウェブサイト、その他の各種サービスを提供するウェブサイト（たとえば、画像やファイルなどを保管および／または供給するウェブサイト）などである。
【００６０】
「マルチメディアコンテンツ」は「コンテンツ」または「電子コンテンツ」とも称され、本明細書で使用する場合、様々なコンテンツの組み合わせを採用する電子コンテンツ、または異なる形式のコンテンツを採用する電子コンテンツを指すことができる。このように、異なるまたは様々なコンテンツは、テキスト、音声、静止画像、動画、コンピュータ生成画像などを含むがそれらに限定されない中から選択することができる。
【００６１】
「スポット」とも称される「ハイパーメディアリンク」は、データを参照して、クリック、スワイプ、ホバーなどの動作を除くハイパーメディアリンクの選択に基づき、二次マルチメディアコンテンツを一次マルチメディアコンテンツのアイテムの閲覧者に対して提示させるエレメントを指す。上記ハイパーメディアリンクは、閲覧者に二次マルチメディアコンテンツ内を移動させる、および／またはハイパーメディアリンクが対応付けられる一次および／または二次マルチメディアコンテンツ内のアイテム／エレメントに関して特定のアクションを実行させる他のハイパーメディアリンクを含むことができる。本発明の実施形態によると、ハイパーメディアリンクは、マルチメディアコンテンツのアイテムの外部とは対照的にマルチメディアコンテンツのアイテム内にある追加情報にアクセスする非線形媒体を提供するため、ハイパーメディアリンクを介してアクセスされる二次マルチメディアコンテンツを伴う一次マルチメディアコンテンツのアイテムを、従来技術のマルチメディアコンテンツと同様に共有することができる。
【００６２】
本明細書で使用する場合、「ハイパーメディアコンテンツ」は、一次マルチメディアコンテンツからアクセスされる一次マルチメディアコンテンツまたは二次マルチメディアコンテンツなどのマルチメディアコンテンツを指し、一次マルチメディアコンテンツ内で作動するハイパーメディアリンクに基づきハイパーメディアコンテンツ内での二次マルチメディアコンテンツへの直接アクセスを可能にするハイパーメディアリンクを含む。
【００６３】
図１Ａは、発明の実施形態により、発明の実施形態を採用することができる、ハイパーメディアコンテンツシステムおよびハイパーメディアコンテンツ配信アプリケーション／プラットフォーム（ＨＣＳ−ＨＣＤＡＰ）をサポートするネットワーク環境１００を示す。このようなＨＣＳ−ＨＣＤＡＰはたとえば複数のチャネルと動的コンテンツをサポートする。図示するように、第１のユーザ群１００Ａおよび第２のユーザ群１００Ｂはそれぞれ通信ネットワーク１００とインタフェースをとる。代表的な通信アーキテクチャ内では、遠隔中央交換器１８０は、たとえば長距離ＯＣ−４８／ＯＣ−１９２バックボーンエレメント、ＯＣ−４８広域ネットワーク（ＷＡＮ）、受動光ネットワーク、無線リンクを含むことができるネットワーク１００を介して、通信サービスプロバイダネットワークの残りと通信する。中央交換器１８０は、ネットワーク１００を介して地方、地域、国際交換器（明瞭化のため図示せず）と接続され、そしてネットワーク１００を介して第１のユーザ群１００Ａおよび第２のユーザ群１００ＢにＷｉ−Ｆｉセルをそれぞれ提供する第１のセルラーＡＰ１９５Ａおよび第２のセルラーＡＰ１９５Ｂに接続される。また、第１のＷｉ−Ｆｉノード１１０Ａおよび第２のＷｉ−Ｆｉノード１１０Ｂもネットワーク１００に接続され、第２のＷｉ−Ｆｉノード１１０Ｂはルータ１０５を介してネットワーク１００に接続される。第２のＷｉ−Ｆｉノード１１０Ｂは、他の第１のユーザ群１００Ａおよび第２のユーザ群１００Ｂが存在する企業１６０、たとえば、Ｅｎｔｅｒｔａｉｎｍｅｎｔ  ＯｎｅＴＭに対応付けられる。第２のユーザ群１００Ｂは、ＤＳＬ、ダイヤルアップ、ＤＯＣＳＩＳ、イーサネット（登録商標）、Ｇ．ｈｎ、ＩＳＤＮ、ＭｏＣＡ、ＰＯＮ、電力線通信（ＰＬＣ）などを含むが、それらに限定されない有線インタフェースを介してネットワーク１００に接続してもよく、ルータ１０５などのルータを通しても通さなくてもよい。
【００６４】
第１のＡＰ１１０Ａと対応付けられるセル内で、第１のユーザ群１００Ａは、たとえば、ラップトップコンピュータ１５５、ポータブルゲームコンソール１３５、タブレットコンピュータ１４０、スマートフォン１５０、携帯電話１４５、携帯マルチメディアプレーヤ１３０などの様々なＰＥＤを採用することができる。第２のＡＰ１１０Ｂに対応付けられるセル内で、第２のユーザ群１００Ｂはたとえばゲームコンソール１２５、パーソナルコンピュータ１１５、無線／インターネット使用可能テレビ１２０、ケーブルモデム１０５を含む様々なＦＥＤを採用することができる。第１のセルラーＡＰ１９５Ａおよび第２のセルラーＡＰ１９５Ｂは、たとえば、セルラーＧＳＭ（登録商標）（モバイル通信用グローバルシステム）電話通信サービスとデータ転送支援を向上させた３Ｇおよび４Ｇ進化サービスをそれぞれ提供する。第２のセルラーＡＰ１９５Ｂは、例示的実施形態において、第１のユーザ群１００Ａおよび第２のユーザ群１００Ｂにサービスエリアを提供する。もしくは、第１のユーザ群１００Ａと第２のユーザ群１００Ｂは地理的に離れており、明瞭化のために図示していないが、１または複数のネットワークオペレータによって地理的に分散された複数ＡＰを通じてネットワーク１００にアクセスすることができる。第１のセルラーＡＰ１９５Ａは図示されるように、第１のユーザ群１００Ａと、第２のユーザ群１００Ｂおよび第１のユーザ群１００Ａを含む環境１７０にサービスエリアを提供する。したがって、第１のユーザ群１００Ａおよび第２のユーザ群１００Ｂは、特定の通信インタフェースにより、ＩＥＥＥ８０２．１１、ＩＥＥＥ８０２．１５、ＩＥＥＥ８０２．１６、ＩＥＥＥ８０２．２０、ＵＭＴＳ、ＧＳＭ８５０、ＧＳＭ９００、ＧＳＭ１８００、ＧＳＭ１９００、ＧＰＲＳ、ＩＴＵ−Ｒ５．１３８、ＩＴＵ−Ｒ５．１５０、ＩＴＵ−Ｒ５．２８０、ＩＭＴ−１０００などの１つ以上の無線通信規格を通じてネットワーク１００と通信する。当業者にとって明白であるように、多くの携帯および固定電子装置は同時に複数の無線プロトコルをサポートすることができるので、たとえば、ユーザは電話通信やＳＭＳなどのＧＳＭサービス、Ｗｉ−Ｆｉ／ＷｉＭＡＸデータ通信、ＶＯＩＰ、インターネットアクセスを採用することができる。したがって、第１のユーザ群１００Ａ内のポータブル電子装置は、ＩＥＥＥ８０２．１５やブルートゥース（登録商標）などの規格を通じて、その場限りの提携を形成することができる。
【００６５】
さらに、ネットワーク１００には、ソーシャルネットワーク（ＳＯＣＮＥＴＳ）１６５と、ＣＢＳＴＭやＮＢＣＴＭなどの第１のサービスプロバイダ１７０Ａおよび第２のサービスプロバイダ１７０Ｂと、Ｗｉｅｄｅｎ＆ＫｅｎｎｅｄｙとＤｒｏｇａ５などの第１の広告代理店１７０Ｃおよび第２の広告代理店１７０Ｄと、ＡｕｄｉＴＭやＰｅｐｓｉＣｏＴＭなどの第１の広告主１７５Ａおよび第２の広告主１７５Ｂと、ＹｏｕＴｕｂｅＴＭやＧｏｏｇｌｅＴＭなどの第１のチャネルプロバイダ１８５Ａおよび第２のチャネルプロバイダ１８５Ｂと、明瞭化のために図示しない他のサーバと共に機能する第１のサーバ１９０Ａおよび第２のサーバ１９０Ｂと、が接続される。第１のサーバ１９０Ａおよび第２のサーバ１９０Ｂは、発明の実施形態により、アプリケーション／プラットフォーム（ＨＣＳ−ＨＣＤＡＰ）を公開するハイパーメディアコンテンツシステムとハイパーメディアコンテンツ配信アプリケーション／プラットフォーム（ＨＣＳーＨＣＤＡＰ）のプロバイダ；ＨＣＳ−ＨＣＤＡＰ機能を利用するＳＯＣＮＥＴまたはソーシャルメディア（ＳＯＭＥ）のプロバイダ；ＨＣＳ−ＨＣＤＡＰ機能を利用しないＳＯＣＮＥＴおよび／またはＳＯＭＥのプロバイダ；ＰＥＤＳおよび／またはＦＥＤＳへのサービスのプロバイダ；有線および／または無線通信の１つ以上の側面のプロバイダ；ＨＣＳ−ＨＣＤＡＰ機能を利用するＥｎｔｅｒｔａｉｎｍｅｎｔ  ＯｎｅＴＭなどの企業１６０；ライセンスデータベース；コンテンツデータベース；画像データベース；コンテンツライブラリ；カスタムデータベース；ウェブサイト；ＨＣＳ−ＨＣＤＡＰ機能を利用するおよび／またホストとなるＦＥＤおよび／またはＰＥＤにダウンロードあるいはアクセスされるソフトウェアアプリケーション；と対応付けられる複数のサービスのホストとして機能することができる。第１のコンテンツサーバ１９０Ａおよび第２のコンテンツサーバ１９０Ｂは、検索エンジン、金融サービス、第三者アプリケーション、その他のインターネットベースサービスなどのその他のインターネットサービスのホストとして機能することもできる。
【００６６】
したがって、消費者および／またはカスタマ（ＣＯＮＣＵＳ）は、企業１６０内のＰＥＤおよび／またはＦＥＤを利用し、たとえば、第１のコンテンツサーバ１９０Ａまたは第２のコンテンツサーバ１９０Ｂの一方にアクセスして、発明の実施形態に係るＨＣＳ−ＨＣＤＡＰ機能を提供するアプリケーションのアクセス／ダウンロードなどの作業を実行し、既にインストールされたアプリケーションを実行してＨＣＳ−ＨＣＤＡＰ機能を提供する、ＨＣＳ−ＨＣＤＡＰ機能を提供するウェブベースのアプリケーションを実行する、あるいはコンテンツにアクセスすることができる。同様に、ＣＯＮＣＵＳは、第１のセルラーＡＰ１９５Ａと第２のセルラーＡＰ１９５Ｂの一方と第１のＷｉ−Ｆｉノード１１０Ａとを介して、第１のユーザ群１００Ａと第２のユーザ群１００Ｂ内のＰＥＤまたはＦＥＤを利用して、発明の実施形態に係る上記動作またはその他の動作を実行することができる。
【００６７】
次に、図１Ｂは、本発明の１実施形態に係るアーキテクチャ１０００を示し、図１Ａと同様、ネットワーク１００には、ソーシャルネットワーク（ＳＯＣＮＥＴＳ）１６５と、ＣＢＳＴＭやＮＢＣＴＭなどの第１のサービスプロバイダ１７０Ａおよび第２のサービスプロバイダ１７０Ｂと、Ｗｉｅｄｅｎ＆ＫｅｎｎｅｄｙとＤｒｏｇａ５などの第１の広告代理店１７０Ｃおよび第２の広告代理店１７０Ｄと、ＡｕｄｉＴＭやＰｅｐｓｉＣｏＴＭなどの第１の広告主１７５Ａおよび第２の広告主１７５Ｂと、ＹｏｕＴｕｂｅＴＭやＧｏｏｇｌｅＴＭなどの第１のチャネルプロバイダ１８５Ａおよび第２のチャネルプロバイダ１８５Ｂと、第１のサーバ１９０Ａとが接続される。図示するように、サーバ１９０Ａは、公衆、衛生、保険、政府ウェブポータル；映像配信ウェブポータル；マーケティング・広告ウェブポータル；イベント・アトラクション、小売りウェブポータル；投資家ＰＲウェブポータルなどの第１のポータル１００５〜第５のポータル１０２５を組み込む。したがって、一次マルチメディアコンテンツおよびその関連ハイパーメディアリンク／二次マルチメディアコンテンツのアイテムは、サーバ１９０Ａ上の特定のウェブポータルにアクセスすることができる、および／または対応付けることができる。任意で、ＣＢＳＴＭとＮＢＣＴＭなどの第１の配信ネットワーク１７０Ａおよび第２の配信ネットワーク１７０Ｂ、Ｗｉｅｄｅｎ＆ＫｅｎｎｅｄｙとＤｒｏｇａ５などの第１の広告代理店１７０Ｃおよび第２の広告代理店１７０Ｄ、ＡｕｄｉＴＭやＰｅｐｓｉＣｏＴＭなどの第１の広告主１７５Ａおよび第２の広告主１７５Ｂ 、ＹｏｕＴｕｂｅＴＭやＧｏｏｇｌｅＴＭなどの第１のチャネルプロバイダ１８５Ａおよび第２のチャネルプロバイダ１８５Ｂは、特定のウェブポータルに対応付けることができる、あるいは第１のサーバ１９０Ａ上の複数のウェブポータルに対応付けることができる。
【００６８】
また、第１のサーバ１９０Ａは、たとえば、コンテンツディレクトリ；販売＆ライセンス管理；登録；取引＆財務；規則を表す第１のデータベース１０３０〜第５のデータベース１０５０にも対応付けられる。また、第１のサーバ１９０Ａは、ファイアウォール１０６０と、明瞭化のために図示しないが、第１のサーバ１９０Ａを電子的攻撃から守ることに関連するその他のセキュリティ手段とに対応付けられる。また、インタフェース１０６５は、第１のサーバ１９０Ａが接続される様々なネットワーク、システム、サーバクラスタ、第２のサーバ１９０Ｂ、ネットワーク１００などの各種インタフェース要件だけでなく、ウェブポータルと第１のデータベース１０３０〜第５のデータベース１０５０および明瞭化のために図示しないメモリとのインタフェースをとる各種インタフェースをサポートする。第１のサーバ１９０Ａ内には、ＣＲＭ＆アナリティックス１０７０、インタラクティブコードデータベース１０７５、財務情報１０８０、インタラクティブリスト１０８５も実装される。インタラクティブコードデータベース１０７０とインタラクティブリスト１０８５のインタラクティブエレメント（たとえば、ハイパーメディアリンク、スポット）は、カナダ、プリンスエドワード島、シャーロットタウンのＺＥＤ  Ｃｒｅａｔｉｖｅによって提供されるハイパーメディアリンクを介して、マルチメディアコンテンツのアイテム内でアクセスおよび移動可能であるマイクロウェブサイトの実装である。したがって、第１のサーバ１９０Ａは、第２のサーバ１９０Ｂを含むがそれに限定されないサーバと共に、ユーザ、閲覧者、消費者、広告主、企業、第三者、サービスプロバイダ、マルチメディアコンテンツ生成業者らに、それらに適用可能なＨＣＳ−ＨＣＤＡＰ機能のサブセットを提供する。
【００６９】
図１Ｃは、発明の実施形態に係る、ＨＣＳ−ＨＣＤＡＰ機能をサポートする電子装置２０４およびネットワークアクセスポイント２０７を示す。電子装置２０４はたとえばＰＥＤおよび／またはＦＥＤであってもよく、上記および下記の追加エレメントを含むことができる。スマートフォン１５５などの電子装置２０４と、第１のＡＰ１１０などのアクセスポイント（ＡＰ）２０６と、通信サーバ、ストリーミングメディアサーバなどの１つ以上のネットワーク装置２０７と、第１のサーバ１９０Ａと第２のサーバ１９０Ｂなどのルータとを含むシステム２００の概略機能図の一部として、電子装置２０４内のプロトコルアーキテクチャも示す。ネットワーク装置２０７は、図１を参照して上述したようなネットワーク、有線、無線および／または光通信リンクの組み合わせを介して、および上述するように直接、ＡＰ２０６に接続することができる。ネットワーク装置２０７はネットワーク１００に接続され、ソーシャルネットワーク（ＳＯＣＮＥＴＳ）１６５と、ＣＢＳＴＭやＮＢＣＴＭなどの第１のサービスプロバイダ１７０Ａおよび第２のサービスプロバイダ１７０Ｂと、Ｗｉｅｄｅｎ＆ＫｅｎｎｅｄｙとＤｒｏｇａ５などの第１の広告代理店１７０Ｃおよび第２の広告代理店１７０Ｄと、ＡｕｄｉＴＭやＰｅｐｓｉＣｏＴＭなどの第１の広告主１７５Ａおよび第２の広告主１７５Ｂと、ＹｏｕＴｕｂｅＴＭやＧｏｏｇｌｅＴＭなどの第１のチャネルプロバイダ１８５Ａおよび第２のチャネルプロバイダ１８５Ｂもネットワーク１００に接続される。
【００７０】
電子装置２０４は、１つ以上のプロセッサ２１０と、プロセッサ２１０に連結されるメモリ２１２とを含む。ＡＰ２０６は、１つ以上のプロセッサ２１１と、プロセッサ２１０に連結されるメモリ２１３とをさらに含む。プロセッサ２１０および２１１の非包括的リストの例は、中央処理部（ＣＰＵ）、デジタル信号プロセッサ（ＤＳＰ）、縮小命令セットコンピュータ（ＲＩＳＣ）、縮小命令セットコンピュータ（ＣＩＳＣ）などを含む。さらに、プロセッサ２１０および２１１のいずれも、用途特定集積回路（ＡＳＩＣ）の一部または用途特定標準製品（ＡＳＳＰ）の一部であってもよい。メモリ２１２および２１３の非包括的リストの例は、レジスタ、ラッチ、ＲＯＭ、ＥＥＰＲＯＭ、フラッシュメモリ装置、不揮発性ランダムアクセスメモリ装置（ＮＶＲＡＭ）、ＳＤＲＡＭ、ＤＲＡＭ、ダブルデータレート（ＤＤＲ）メモリ装置、ＳＲＡＭ、ユニバーサルシリアルバス（ＵＳＢ）脱着可能メモリなどの半導体装置の任意の組み合わせを含む。
【００７１】
電子装置２０４は、プロセッサ２１０のいずれかに接続される、マイクロフォンなどの音声入力エレメント２１４と、スピーカなどの音声出力エレメント２１６とを含むことができる。電子装置２０４は、プロセッサ２１０のいずれかに接続される、ビデオカメラやカメラなどの映像入力エレメント２１８と、ＬＣＤディスプレイなどの映像出力エレメント２２０を含むことができる。また、電子装置２０４はキーボード２１５とタッチパッド２１７を含み、該タッチパッドは、ユーザがコンテンツを入力する、あるいは１つ以上のアプリケーション２２２内の機能を選択することができる物理的キーボードとタッチパッドであってもよい。もしくは、キーボード２１５とタッチパッド２１７は、電子装置２０４内でディスプレイの一部を形成する接触感応エレメントの所定領域であってもよい。１つ以上のアプリケーション２２２が通常、メモリ２１２に記憶され、プロセッサ２１０の組み合わせによって実行可能である。電子装置２０４は、プロセス２１０に３次元運動入力を提供する加速度計２６０と、プロセッサ２１０に地理的位置情報を提供するＧＰＳ２６２も含む。
【００７２】
電子装置２０４はプロトコルスタック２２４を含み、ＡＰ２０６は通信スタック２２５を含む。システム２００内で、プロトコルスタック２２４がＩＥＥＥ８０２．１１プロトコルスタックとして示されるが、インターネットエンジニアリングタスクフォース（ＩＥＴＦ）マルチメディアプロトコルスタックなどのその他のプロトコルスタックを利用することもできる。同様に、ＡＰスタック２２５はプロトコルスタックを活用するが、明瞭化のために拡張していない。プロトコルスタック２２４およびＡＰスタック２２５の構成要素は、ソフトウェア、ファームウェアおよび／またはハードウェアの任意の組み合わせで実現することができる。プロトコルスタック２２４は、１つ以上のＦｒｏｎｔ−Ｅｎｄ  Ｔｘ／Ｒｘ＆アンテナ２２８に接続されるＩＥＥＥ８０２．１１対応ＰＨＹモジュール２２６と、ＩＥＥＥ８０２．２対応ＬＬＣモジュール２３２に接続されるＩＥＥＥ８０２．１１対応ＭＡＣモジュール２３０とを含む。プロトコルスタック２２４は、ネットワーク層ＩＰモジュール２３４、トランスポート層ユーザデータグラムプロトコル（ＵＤＰ）モジュール２３６、トランスポート層通信制御プロトコル（ＴＣＰ）モジュール２３８を含む。
【００７３】
プロトコルスタック２２４は、セッション層リアルタイムトランスポートプロトコル（ＲＴＰ）モジュール２４０、セッション告知プロトコル（ＳＡＰ）モジュール２４２、セッション開始プロトコル（ＳＩＰ）モジュール２４４、リアルタイムストリーミングプロトコル（ＲＴＳＰ）モジュール２４６をさらに含む。プロトコルスタック２２４は、プレゼンテーションレイヤメディア処理モジュール２４８、呼出し制御モジュール２５０、１つ以上の音声コーデック２５２、１つ以上の映像コーデック２５４を含む。アプリケーション２２２は、ＡＰ２０６を用いて、装置２０７のいずれかとの通信セッションを維持する、および／または終了することができる。通常、アプリケーション２２２は、目的に応じてＳＡＰ、ＳＩＰ、ＲＴＳＰ、メディア処理、コール制御モジュールを始動させる。一般的には、情報はＴＣＰモジュール２３８、ＩＰモジュール２３４、ＬＬＣモジュール２３２、ＭＡＣモジュール２３０を通じて、ＳＡＰ、ＳＩＰ、ＲＴＳＰ、メディア移動、コール制御モジュールからＰＨＹモジュール２２６へ伝播する。
【００７４】
当業者にとって自明であるように、電子装置２０４の構成要素は、ＡＰ２０６内で実現することができ、それらの構成要素はＩＥＥＥ８０２．１１対応ＰＨＹモジュール、ＩＥＥＥ８０２．１１対応ＭＡＣモジュール、ＩＥＥＥ８０２．２対応ＬＬＣモジュール２３２などのプロトコルスタック２２４の１つ以上の構成要素を含むが、それらに限定されない。ＡＰ２０６は、ネットワーク層ＩＰモジュール、トランスポート層ユーザデータグラムプロトコル（ＵＤＰ）モジュール、トランスポート層送信制御プロトコル（ＴＣＰ）モジュール、セッション層リアルタイム転送プロトコル（ＲＴＰ）モジュール、セッション告知プロトコル（ＳＡＰ）モジュール、セッション開始プロトコル（ＳＩＰ）モジュール、リアルタイムストリーミングプロトコル（ＲＴＳＰ）モジュール、メディア移動モジュール、コール制御モジュールをさらに含む。電子装置２０４によって表される可動および固定電子装置は、図示するＩＥＥＥ８０２．１１に加えて１つ以上の追加の無線または有線インタフェースを含んでいてもよく、該インタフェースは、ＩＥＥＥ８０２．１５、ＩＥＥＥ８０２．１６、ＩＥＥＥ８０２．２０、ＵＭＴＳ、ＧＳＭ８５０、ＧＳＭ９００、ＧＳＭ１８００、ＧＳＭ１９００、ＧＰＲＳ、ＩＴＵ−Ｒ５．１３８、ＩＴＵ−Ｒ５．１５０、ＩＴＵ−Ｒ５．２８０、ＩＭＴ−１０００、ＤＳＬ、ダイヤルアップ、ＤＯＣＳＩＳ、イーサネット、Ｇ．ｈｎ、ＩＳＤＮ、ＭｏＣＡ、ＰＯＮ、電力線通信（ＰＬＣ）を含む群から選択することができる。
【００７５】
図２は、発明の実施形態により、ユーザに提供されるマルチメディアコンテンツ内のハイパーメディアリンクの視覚的インジケータの１例を示す。したがって、図示するように、閲覧者は、ハイパーメディアリンクと対応付けたマルチメディアコンテンツ２００のアイテムにアクセスしている。したがって、マルチメディアコンテンツ２００のアイテムが再生中、本例では、タイムバー２２０で示すように、ハイパーメディアリンクアイコン２１０がマルチメディアコンテンツのアイテム内の所定の位置および時間に出現する。ハイパーメディアリンクアイコン２１０を選択すると、リンクされた二次マルチメディアコンテンツの関連アイテムが、たとえば図４、５、７、８に示すようにユーザに提示されている。
【００７６】
任意で、ハイパーメディアリンクアイコン２１０の形状や、塗りつぶし色、透明度、塗りつぶしパターンなどの塗りつぶしパラメータを伴う厚さ、色、透明度などの境界パラメータは、閲覧者の動作に応じて、表示時の一次マルチメディアコンテンツ２００のパレット、ハイパーメディアリンクアイコン２１０を設定するユーザの基本設定、一次マルチメディアコンテンツ２００のビューの基本設定を含むが、それらに限定されない１以上の要因に応じて設定することができる。図１０Ａ〜１０Ｅから明らかなように、閲覧者に対してハイパーメディアリンクの存在を強調するため、ハイパーメディアリンクアイコン２１０の変更の他に別のオプションも存在するが、図１０Ｅで明らかなように、その存在は閲覧者に全く示さなくてもよく、隠れたハイパーメディアリンクアイコン２１０を選択することで、同じアクションがトリガされる。これらの例では、閲覧者の実際の興味を測ることができ、ハイパーメディアリンクアイコン２１０に対応付けられないその他のアイテムを選択することによって、閲覧者の基本設定に関する追加情報を、広告主、サービスプロバイダ、第三者プロバイダなどに提供する。
【００７７】
図３は、本発明の１実施形態により、ユーザに提示されるマルチメディアコンテンツ内のハイパーメディアリンクに関連する視覚的インジケータの進展を表す第１の画面画像３００Ａ〜第４の画面画像３００Ｄを示す。第１の画面画像３００Ａに示すように、一次マルチメディアコンテンツのタイムライン３３０は、既に確定されたハイパーメディアリンクアイコン３１０と徐々に展開するハイパーメディアリンクアイコン３２０と共に第１の画面画像３００Ａの下部に沿って示され、徐々に展開するハイパーメディアリンクアイコン３２０は第２の画面画像３００Ｂに示されるように展開しきったハイパーメディアリンクアイコン３４０となるまで、一定期間にわたって外観を変化させ、その外観は確定されたハイパーメディアリンクアイコン３１０の外観と類似する。任意で、発生するハイパーメディアリンクアイコン３２０の形状や、塗りつぶし色、透明度、塗りつぶしパターンなどの塗りつぶしパラメータを伴う厚さ、色、透明度などの境界パラメータは、閲覧者の動作に応じて、表示時の一次マルチメディアコンテンツのパレット、徐々に展開するハイパーメディアリンクアイコン３２０を設定するユーザの基本設定、一次マルチメディアコンテンツ２００のビューの基本設定を含むが、それらに限定されない１以上の要因に応じて設定することができる。図１０Ａ〜１０Ｅから明らかなように、閲覧者に対してハイパーメディアリンクの存在を強調するため、徐々に展開するハイパーメディアリンクアイコン３２０の変更に加えて他のオプションも存在する。任意で、徐々に展開するハイパーメディアリンクアイコン３２０は、確定されたハイパーメディアリンクアイコン３１０と類似の形状および大きさを有することができる、あるいは、徐々に展開するハイパーメディアリンクアイコン３２０は、確定されたハイパーメディアリンクアイコン３１０と異なる形状および大きさを有することができる。
【００７８】
第３の画面画像３００Ｃに示すように、一次マルチメディアコンテンツ３８０のタイムラインは、既に設定されたハイパーメディアリンクアイコン３５０と共に第３の画面画像３００Ｃの下部に沿って示される。次に、第４の画面画像３００Ｄに示すように、設定されたハイパーメディアリンクアイコン３５０は、新たなハイパーメディアリンクアイコン３７０と共に、消失中のハイパーメディアリンクアイコン３６０として示される。したがって、自明なことに、第１の画像３００Ａおよび第２の画像３００Ｂに示すように徐々に展開する外観を有することに加えて、ハイパーメディアリンクアイコンは、第３の画像３００Ｃおよび第４の画像３００Ｄに示すように徐々に消失する外観を有していてもよい。任意で、次第に消失するハイパーメディアリンクアイコン３２０の形状や、塗りつぶし色、透明度、塗りつぶしパターンなどの塗りつぶしパラメータを伴う厚さ、色、透明度などの境界パラメータは、閲覧者の動作に応じて、表示時の一次マルチメディアコンテンツのパレット、徐々に展開するハイパーメディアリンクアイコンを設定するユーザの基本設定、一次マルチメディアコンテンツのビューの基本設定を含むが、それらに限定されない１以上の要因に応じて設定することができる。
【００７９】
自明なことに、確定されたハイパーメディアリンクアイコン３１０、徐々に展開するハイパーメディアリンクアイコン３２０、展開しきったハイパーメディアリンクアイコン３４０、確定されたハイパーメディアリンクアイコン３５０、新たなハイパーメディアリンクアイコン３７０などのハイパーメディアリンクアイコンは、開始時間または持続時間、開始時間および終了時間、ハイパーメディアリンクアイコンがゼロから確定形状まで出現する展開時間、ハイパーメディアリンクアイコンが確定形状からゼロまで消失する移行時間などのタイミング情報に対応付けることができる。また、ハイパーリンクリンクアイコンの外観は、一次マルチメディアコンテンツに存在する期間、徐々に展開させることができることも自明であろう。
【００８０】
図４は、マルチメディアコンテンツ内のハイパーメディアリンクの選択に基づき、本発明の１実施形態により、ユーザに提示されるマルチメディアコンテンツ内のマイクロウェブサイトの生成に関連する第１の画面画像４００Ａ〜第４の画面画像４００Ｄを示す。第１の画面画像４００Ａに示すように、一次マルチメディアコンテンツのタイムライン４６０は、既に設定されたハイパーメディアリンクアイコン４１０と共に第１の画面画像４００Ａの下部に沿って示される。次に、ユーザが確定されたハイパーメディアリンクアイコン４１０を選択すれば、ユーザは、第２の画面画像４００Ｂの初期フレーム４３０から第３の画面画像４００Ｃのマイクロウェブサイト４４０まで設定されるマイクロウェブサイトを通じて、二次マルチメディアコンテンツにアクセスすることができる。本例では、第１の画面画像４００Ａ〜第３の画面画像４００Ｃ内の一次マルチメディアコンテンツは鉢クラゲであり、マイクロウェブサイト４４０内に提示される関連コンテンツは鉢クラゲに関する追加情報である。第４の画面画像４００Ｄを参照すると、マイクロウェブサイトコンテンツは、第２のマイクロウェブサイト４５０に示されるように変化しており、マイクロウェブサイトコンテンツ内のページ４５５はユーザの選択に基づき変更されている。図４Ｂの第５の画面画像４００Ｅには、第２のマイクロウェブサイト４５０はページ４５５セレクタの他に、一次マルチメディアコンテンツの閲覧者に対応付けられるソーシャルメディアサービス用のハイパーリンクアイコンを有するソーシャルメディアバー４７０が含まれ、これらは、たとえば、ユーザによるＨＣＳ−ＨＣＤＡＰを提供するアプリケーションへのログインに応じて、あるいはソーシャルメディアウェブサイトのうちの１つまたはソーシャルネットワークアプリケーションをインストールした電子装置で一次マルチメディアコンテンツを閲覧しているときは既知のソーシャルメディアとユーザとの対応付けを通じて設定される。ソーシャルメディアバー４７０内のハイパーリンクアイコンを選択すると、たとえば図５の第１の画面画像５００Ａ内のポップアップ５１０を掲示することによって示されるようなポスティングページが生じる。また、第２のマイクロウェブサイト４００Ｅでは、他の機能へのリンク４８０がユーザに提示される。カーソル４９０は、マイクロウェブサイトのページ内に表示されるコンテンツ自体、マイクロウェブサイトウィンドウよりも大きくして、コンテンツをスクロール／移動できることを示すように描写されている。
【００８１】
図５は、マルチメディアコンテンツ内のハイパーメディアリンクの選択に基づき、本発明の１実施形態により、ユーザに提示されるマルチメディアコンテンツ内のマイクロウェブサイトの移動を表す第１の画面画像５００Ａ〜第４の画面画像５００Ｄを示す。上述したように、第１の画面画像５００Ａはマイクロウェブサイト内のソーシャルメディアフィード画面であり、ユーザは１人または複数の友人、またはサブセット／セットの連絡先にメッセージを送ることができる。本例では、ユーザはＴｗｉｔｔｅｒＴＭのツイートを生成しており、送信（ツイート）されたとき、コンテンツはユーザのＴｗｉｔｔｅｒフィードに投稿される。第２の画面画像５００Ｂおよび第３の画面画像５００Ｃは、ユーザの使用中、マイクロウェブサイト５２０の追加キャプチャを示し、キャプチャは追加コンテンツを移動している。図４Ａおよび４Ｂの第１の画像４００Ａ〜第５の画像４００Ｅに示されるコンテンツと共に、第１の画面画像５００Ａ〜第３の画面画像５００Ｃでユーザに提示されるコンテンツは、一次マルチメディアコンテンツのプロバイダと対応付けられるコンテンツである。
【００８２】
対照的に、図４Ｂの第５の画面画像４００Ｅに示されるリンク４８０を選択すると、たとえば、一次二次コンテンツのプロバイダ、マイクロウェブサイト内に提示される二次マルチメディアコンテンツのプロバイダ、あるいは一次および二次マルチメディアコンテンツのプロバイダの外部によって提供される追加コンテンツをサーチすることができるサーチ機能へのアクセスがユーザに提供される。したがって、第４の画像５００Ｄに示すように、ユーザには、ユーザがマイクロウェブサイト画像５５０内でアクセスした一次マルチメディアコンテンツに対応させて、他の人が最近アクセスした他の二次マルチメディアコンテンツのリストが提示される。したがって、アイテムを選択すると、マイクロウェブサイト内での一次マルチメディアコンテンツの表示がトリガされる。同じく、リストが長い場合、ユーザは第５の画面画像５００Ｅのスクロールされたマイクロウェブサイト画像５６０で示すようにスクロールすることができる。
【００８３】
もしくは、ユーザは、このページの上部のオプションから選択して、第４の画面画像５００Ｄのマイクロウェブサイト５５０内の閲覧一次マルチメディアコンテンツのリスト「マイスポットリスト」を閲覧することができ、このリストは、閲覧一次マルチメディアコンテンツの最新アイテムのリストであってもよい、あるいは、閲覧一次マルチメディアコンテンツ内のハイパーメディアアイコンの選択と無関係に、または選択に応じて、現在の一次マルチメディアコンテンツに対応付けられる閲覧一次マルチメディアコンテンツの最新アイテムであってもよい。たとえば、ユーザは、ハイパーメディアリンクを介して追加コンテンツにユーザをアクセスさせた閲覧一次マルチメディアコンテンツのアイテムを、後の検索のために閲覧一次マルチメディアコンテンツ履歴リストに記憶することを単に希望することができる。任意で、ユーザは、閲覧一次マルチメディアコンテンツを記憶し、カテゴリに割り当てて、たとえば、改訂トピックを設定し、一次マルチメディアコンテンツを特定のトピックに割り当てることができる。もしくは、ユーザは、人事、雇用、社会のニーズおよび／または願望および／または行為によって定義されるその他の基準に応じてトピックを設定することができる。
【００８４】
図６は、本発明の１実施形態により、ユーザに提示されるマルチメディアコンテンツ内のハイパーメディアリンクに関連する視覚的インジケータの進展を表す第１の画面画像６００Ａ〜第５の画面画像６００Ｅを示す。まず第１の画面画像６００Ａ〜第３の画面画像６００Ｃを参照すると、ハイパーメディアリンクアイコン６２０〜６４０が広告内の車両に対応付けられて、道路に沿って運転するにつれて一次マルチメディアコンテンツを形成する。したがって、本例では、ハイパーメディアリンクアイコンは、第１の画面画像３００Ａ〜第４の画面画像３００Ｄ内で略静止しているのではなく、一次マルチメディアコンテンツ内の移動エレメントと対応付けられる。ハイパーメディアリンクアイコンと一次マルチメディアコンテンツ内の移動エレメントとの対応付けは、複数のフレーム内のエレメントを特定し補間することと、エレメントを特定し、パターン認識でユーザ定義期間にわたってハイパーリンクアイコンを自動的に対応付けるオブジェクトを特定することと、ユーザがハイパーメディアリンクアイコンに関して所定期間にわたって所定数のフレームを選択することと、を含むがそれらに限定されない当該技術において既知な各種技術を用いて実行することができる。
【００８５】
もしくは、第４の画面画像６００Ｄおよび第５の画面画像６００Ｅに示すように、ハイパーメディアリンクアイコン６５０は、運転者の手がギア転換装置にかかって、コンソール６６０の一部を不明瞭にすることで、アイコンが関連するエレメント、本例ではコンソール６６０が視認度を変動させる場合でもその位置を維持する。本例では、一次マルチメディアコンテンツの閲覧者は、第５の画面画像６００Ｅ内のハイパーメディアリンクアイコン６５０を選択すると、コンソール６６０に関連する二次マルチメディアコンテンツがマイクロウェブサイトに提供されることを当然確信するであろう。第４の画面画像６００Ｄと第５の画面画像６００Ｅ間のハイパーメディアリンクアイコン６５０の対応付けが変動するとすれば、ハイパーメディアリンクアイコン６５０を異なる表示で可視にしてユーザに提示することができる。
【００８６】
当業者にとって自明なように、ハイパーメディアリンクアイコンが一次マルチメディアコンテンツに対応付けられる際、ユーザが一次マルチメディアコンテンツを一時停止すれば、その位置が一時停止の時点で直接特定されていなかったとしても、たとえば最後の定義された時点から補間できるため、ハイパーメディアリンクアイコンを可視にする、あるいは有効にすることができる。
【００８７】
図７は、本発明の１実施形態により、ユーザに提示されるマルチメディアコンテンツ内のマイクロウェブサイトの生成および進展に関連する第１の画面画像７００Ａ〜第４の画面画像７００Ｄを示す。本例では、ハイパーメディアリンクアイコン７１０は、第１の画面画像７００Ａに示すように、ユーザに対して表示される一次マルチメディアコンテンツ内でアクティブである。その選択により、一次マルチメディアコンテンツが、マイクロウェブサイト７４０と最後のハイパーメディアリンクアイコン７５０〜７７０と共に、第３の画面画像７００Ｃ〜第４の画面画像７００Ｄを通じて第１のフローをたどるようにトリガされる。しかしながら、ユーザが選択しない場合、一次マルチメディアコンテンツは、第２の画面画像７００Ｂ〜第４の画面画像７００Ｄと最後のハイパーメディアリンクアイコン７５０〜７７０を通じて第２のフローをたどる。したがって、本発明の他の実施形態では、マイクロウェブサイトは実際には表示画像全体に取って代わり、オリジナルコンテンツ、すなわち、第２の画面画像７００Ｂを覆っており、マイクロウェブサイト７５０として出現するものは実際には、ユーザがハイパーメディアリンクアイコン７１０を選択するときにユーザに対して提示されるマイクロウェブサイトに埋め込まれるナノウェブサイトである。したがって、ハイパーメディアリンクアイコン７１０を選択しないと、オリジナルコンテンツ、すなわち、第２の画面画像７００Ｂの残りは、マイクロウェブサイトオーバーレイなしで提示される。したがって、当業者にとって自明であるように、一次マルチメディアコンテンツの最初のエレメントは、二次マルチメディアコンテンツを表示するハイパーメディアリンクアイコンと対応付けられたマイクロウェブサイトを有することができる。その後、対応付けられるハイパーメディアリンクアイコンおよび二次マルチメディアコンテンツを伴う一次マルチメディアコンテンツは、一次マルチメディアコンテンツの別のエレメント内の別のハイパーメディアリンクアイコンのためのマイクロウェブサイトコンテンツとして使用することができる。したがって、ハイパーリンクメディアアイコンおよび二次マルチメディアコンテンツを伴うオリジナルコンテンツは、該当ライセンシングおよび法的許可を得て、一次マルチメディアコンテンツの別のエレメント内で使用することができる。このように、教育施設は、たとえば、コースの広告エレメントのマルチメディアコンテンツを利用するコースガイドを構築し、関連ハイパーメディアリンクアイコンおよび二次マルチメディアコンテンツと共に第三者のマルチメディアコンテンツ広告をコース内に埋め込むことができる。当業者にとって自明なように、本発明の範囲を逸脱せずに、その他多数の入れ子の、層状の、埋め込まれた、リンク付けされたマルチメディアコンテンツを採用することができる。
【００８８】
図８は、以後の閲覧およびアクセスのために、本発明の１実施形態により、ユーザに提示されるマルチメディアコンテンツのアイテム内での複数のハイパーメディアリンクの選択に関連する第１の画面画像８００Ａ〜第５の画面画像８００Ｅを示す。図３〜７を参照して上述した本発明の実施形態では、ハイパーメディアリンクアイコンを選択すると、マイクロウェブサイトが開いて表示され、閲覧する、移動する、閉じる、ソーシャルメディアへのリンク付けを行うことができる二次マルチメディアコンテンツがユーザに提示される。しかしながら、図８では、ハイパーメディアリンクアイコンの選択はこのようなアクションをトリガせず、以後の表示、利用、ソーシャルメディアへのリンク付けのために、選択されたハイパーメディアリンクアイコンをスタックに追加する。したがって、第１の画面画像８００Ａでは、ユーザは、マルチメディアコンテンツのアイテム、本例では衣料店のＧａｐＴＭによる広告「Ｂａｃｋ  ｔｏ  Ｂｌｕｅ」を見ている。次に、ズーム画像８５０に示すように、ＨＣＳ−ＨＣＤＡＰプロバイダに対応付けられるアイコンを選択して、表示用にハイパーメディアリンクアイコンを起動し、それ以外の場合は、一次マルチメディアコンテンツはアイコンを表示せずに再生される。したがって、
・第２の画像８００Ｂでは、ハイパーメディアリンクアイコンが提示され、ユーザによって１つ選択されると、第１のインサート８００Ｆにおいてハイパーメディアリンクアイコンカウンタが「１」増分される。
・第３の画像８００Ｃでは、ハイパーメディアリンクアイコンが提示され、ユーザによって選択されると、第２のインサート８００Ｇにおいてハイパーメディアリンクアイコンカウンタが「２」増分される。
・第４の画像８００Ｄでは、ハイパーメディアリンクアイコンが提示され、ユーザによって選択されると、第３のインサート８００Ｆにおいてハイパーメディアリンクアイコンカウンタが「３」増分される。
・第５の画像８００Ｅでは、広告の最後が示され、ユーザには、広告を再生させることができ、３つのハイパーメディアリンクアイコンをリスト、本例では「スポットリスト」に追加したことを表す概要が提示される。ＨＣＳ−ＨＣＤＡＰは、上述したようにコンテンツサービスプロバイダのメディアプレーヤである。
【００８９】
図９は、ユーザによって選択され、本発明の１実施形態によりユーザに提示されるマルチメディアコンテンツのアイテムに対応付けられる複数のハイパーメディアリンクの以後の検索に関連する第１の画面画像９００Ａ〜第４の画面画像９００Ｄを示す。したがって、ユーザが図８の第５の画像８００Ｅに関して上述した要約画面内で選択している第１の画面画像９００Ａが示される。これにより、第２の画面画像９００Ｂに示すようにマイクロウェブサイトの表示がトリガされ、次に、第３の画面画像９００Ｃに示すようにズーム画像が表示される。表示されるエレメントは以下を含む：
・広告概要９００Ｅ、すなわち閲覧している一次マルチメディアコンテンツの要約； 
・ユーザが一次マルチメディアコンテンツを再生し、ハイパーメディアリンクアイコンを選択した日付、および一次マルチメディアコンテンツ内の１以上のハイパーメディアリンクアイコンを選択した他のユーザの数などを含むデータフィールド９００Ｆ；
・ユーザによって選択される第１のハイパーメディアリンクアイコンに対応付けられる第１のハイパーメディアリンクアイテム９００Ｇ。本例では、ＧａｐＴＭの「Ｃｌａｓｓｉｃ  Ｄｅｎｉｍ  Ｓｈｉｒｔ」に関連するアイテム；
・ユーザによって選択される第２のハイパーメディアリンクアイコンに対応付けられる第２のハイパーメディアリンクアイテム９００Ｈ。本例では、ＧａｐＴＭの「Ｇｒｅｙ  Ｇｕｉｔａｒ  Ｓｔｒａｐ」に関連するアイテム；
・ユーザによって選択される第３のハイパーメディアリンクアイコンに対応付けられる第３のハイパーメディアリンクアイテム９００Ｉ。本例では、ＧｉｂｓｏｎＴＭの「Ｍｉｄｔｏｗｎ  Ｋａｌａｍａｚｏｏ  Ｇｕｉｔａｒ」に関連するアイテム。
【００９０】
第４の画面画像９００Ｄに示すように、特定の要約情報は、第１のハイパーメディアリンクアイテム９００Ｇ〜第３のハイパーメディアリンクアイテム９００Ｉと対応付けられる表示コンテンツと連動して提示される。たとえば、図示するように、
・ハイパーメディアリンクアイテムの画像９００Ｊ；
・ユーザによって総合的に選択されるハイパーメディアリンクアイテムのカウント９００Ｋ；
・ハイパーメディアリンクアイテムのコスト９００Ｌ；
・当業者に既知であるように、ユーザが精算プロセス中、後の確認および購入のためにショッピングカートにアイテムを追加することができるオンラインショッピングポータルエレメントを表すショッピングカート９００Ｍ。
【００９１】
たとえば、広告の場合は広告主によって、小売店広告の場合は小売店によって、またはユーザの選択に基づくアイテムの現地在庫一覧の検索を通じて、一次マルチメディアコンテンツのアイテムの視聴を終えるまでの期間、価格情報などを提供することができる。他の例では、一次マルチメディアコンテンツは、地域、都市、州、国毎、または国際的に提供することができる。これらの異なる例では、ハイパーメディアリンクアイコンと関連ハイパーメディアリンクアイテムに関するユーザの選択指示を受信すると、ＨＣＳ−ＨＣＤＡＰは、適切なコンテンツを決定して、第３の画面画像９００Ｃおよび第４の画面画像９００Ｄに示すように、以後の表示内でユーザに提供することができる、あるいは、料金やカウントなどの特定のエレメントを提供して、他の情報によりｅコマース機能を使用可能または使用不可にすることができる。たとえば、米国の広告は、たとえば著作権問題によりカナダでは利用できない書籍などのアイテムを含むことがある。本例では、閲覧者の位置をカナダのプリンスエドワード島シャーロットタウンとして特定するＨＣＳ−ＨＣＤＡＰはショッピングカート９００Ｍを使用不可とするが、米国メーン州ポートランドの閲覧者に対しては使用可能にする。もしくは、ＨＣＳ−ＨＣＤＡＰは、アイテムが在庫切れである／小売店で取扱を打ち切られていることを特定し、ショッピングカート９００Ｍではなくユーザに提示される画像を調節することができる。
【００９２】
次に、図１０Ａ〜１０Ｅは、本発明の１実施形態により、ユーザに提示されるマルチメディアコンテンツのアイテム内でハイパーメディアリンクアイコンに関して閲覧者に提示される別の通知を示す。本例では、図１０Ａ〜１０Ｆのそれぞれに示す画像は、フランスのパリ第４区に位置するＲｕｅ  Ｂｒｉｓｅｍｉｃｈｅの映像セグメントで設定されるフランスのカフェの一時停止マルチメディア表示であり、この時点では「Ｌｅ  Ｊａｒｄｉｎ  ｄｅ  Ｔｈｅ」に焦点が当たっている。したがって、以下が示される。
・図３〜９を参照して上述した多角形のコンセプトを利用する第１〜第５のハイパーメディアリンクアイコン１０１０Ａ、１０２０Ａ、１０３０Ａ、１０４０Ａ、１０５０Ａを含む図１０Ａの第１の画面画像１０００Ａ。ハイパーメディアリンクアイコンの境界パラメータと塗りつぶしパラメータは、閲覧者の基本設定、一次マルチメディアコンテンツプロバイダの基本設定、マイクロウェブサイトプロバイダの基本設定、マルチメディアコンテンツなどを含むがそれらに限定されない要因によって上述したように決定される；
・ハイパーメディアリンクアイコンの周囲の所定領域内の「つや消し」ウィンドウを利用する第１〜第５のハイパーメディアリンクアイコン１０１０Ｂ、１０２０Ｂ、１０３０Ｂ、１０４０Ｂ、１０５０Ｂを含む図１０Ｂの第２の画面画像１０００Ｂ；
・第１〜第５のハイパーメディアリンクアイコン１０１０Ｃ、１０２０Ｃ、１０３０Ｃ、１０４０Ｃ、１０５０Ｃを含む図１０Ｃの第３の画面画像１０００Ｃ。これらのアイコンはユーザに対して表示されないが、ユーザには５つのアクティブなハイパーメディアリンクアイコンの存在が助言され、ユーザは、一次マルチメディアコンテンツを一時停止し、ハイパーメディアリンクアイコンを探し、閲覧を再開することができる；
・インサート内の鮮明な領域１０７０に対する不明瞭領域１０６０から明らかなように、ハイパーメディアリンクアイコンの周囲の所定領域内の「不明瞭な」ウィンドウを利用する第１〜第５のハイパーメディアリンクアイコン１０１０Ｄ、１０２０Ｄ、１０３０Ｄ、１０４０Ｄ、１０５０Ｄを含む図１０Ｄの第４の画面画像１０００Ｄ；
・第１〜第５のハイパーメディアリンクアイコン１０１０Ｅ、１０２０Ｅ、１０３０Ｅ、１０４０Ｅ、１０５０Ｅを含む図１０Ｅの第５の画面画像１０００Ｅ。これらのアイコンはユーザに対して表示されず、ゲームシナリオや教育シナリオなどで採用されるように、ＨＣＳ−ＨＣＤＡＰで馴染みのアイコンを発見するのを促すようにその存在をユーザに助言することもない。
・第６の画面画像１０００Ｆの下部でサムネイルとして示される第１〜第５のハイパーメディアリンクアイコン１０１０Ｆ、１０２０Ｆ、１０３０Ｆ、１０４０Ｆ、１０５０Ｆを含む図１０Ｆの第６の画面画像１０００Ｆ。
【００９３】
他の方法も採用することができ、本発明の他の実施形態では、組み合わせて使用することができるのは明らかであろう。たとえば、第６の画面画像１０００Ｆに示すような最初の外観の後、第６の画面画像１０００Ｆまたは第３の画面画像１０００Ｃで採用されるフォーマットに戻る前に、第１の画面画像１０００Ａが短時間表示される。
【００９４】
図１１は、本発明の１実施形態により、ユーザに後で提示されるマルチメディアコンテンツ１１１０内のハイパーメディアリンクアイコン１１２０の設定を示す。したがって、ユーザはＨＣＳ−ＨＣＤＡＰエディタ１１００を採用している。したがって、ユーザはマルチメディアコンテンツ１１１０に隣接して、一連の入力フィールド領域を有し、入力フィールドは、
・新たなハイパーメディアリンクアイコンを追加する、あるいは一次マルチメディアコンテンツに対応付けられるタグを編集することを選択できる第１の入力フィールド１１３０と、
・ユーザがハイパーメディアリンクアイコンの座標とサイズを入力する第２の入力フィールド１１４０（しかし、本発明の他の実施形態では、ユーザがフォーマット、大きさ、位置などだけでなく、エレメントの追跡を選択できることが自明である）と、
・ユーザがハイパーメディアリンクアイコンのタイミング情報を定義する第３の入力フィールド１１５０（しかし、本発明の他の実施形態では、ユーザが出現フォーマット、出現タイミング、消失フォーマット、消失タイミングなどを選択できることが自明である）と、
・ユーザがタイトルをハイパーメディアリンクアイコンに対応付けることができる第４の入力フィールド１１６０と、
・ユーザがマイクロウェブサイト／二次マルチメディアコンテンツ情報をハイパーメディアリンクアイコンに対応付ける第５の入力フィールド１１７０と、を含むがそれらに限定されない。
【００９５】
任意で、ユーザは、記憶されたハイパーメディアリンクアイコンにアクセスし、生成時間を低減できるように、タイトル、フォーマット、二次マルチメディアコンテンツなどのサーチに基づき、サーチ／フィルタリング／選択／編集することができる。本発明の別の実施形態では、ハイパーメディアリンクアイコンと対応付けられるエレメントに関連するサムネイルまたはその他の取得画像はデータベースに記憶されるため、その後、ＨＣＳ−ＨＣＤＡＰエディタ１１００は、ハイパーメディアリンクアイコンと、それに対応付けられるマイクロウェブサイトおよび／または二次マルチメディアコンテンツを自動的に識別し挿入することができる。
【００９６】
図１２は、本発明の１実施形態により、後でユーザに提示されるマルチメディアコンテンツ１２１０内のハイパーメディアリンクアイコン１２２０、およびそれに対応付けられるマイクロウェブサイト１２３０と二次コンテンツの設定を示す。したがって、ユーザはＨＣＳ−ＨＣＤＡＰエディタ１２００を採用している。したがって、ユーザはマルチメディアコンテンツ１２１０に隣接して、一連の入力フィールド領域を有し、入力フィールドは、
・ユーザが、新たなハイパーメディアリンクアイコンを追加する、タグを編集する、二次マルチメディアコンテンツをサーチする／追加する／ユーザのハイパーメディアリンクアイコン１２２０の選択によって生成されるマイクロウェブサイト１２３０と対応付ける、あるいは、「インテリジェンス」タブを通じてアナリティックスなどを追加することができる第１の入力フィールド１２４０と、
・ユーザがハイパーメディアリンクアイコンの座標とサイズを入力する第２の入力フィールド１２５０（しかし、本発明の他の実施形態では、ユーザがフォーマット、大きさ、位置などだけでなく、エレメントの追跡を選択できることが自明である）と、
・ユーザがハイパーメディアリンクアイコンのタイミング情報を定義する第３の入力フィールド１２６０（しかし、本発明の他の実施形態では、ユーザが出現フォーマット、出現タイミング、消失フォーマット、消失タイミングなどを選択できることが自明である）と、
・ユーザがタイトルをハイパーメディアリンクアイコンに対応付けることができる第４の入力フィールド１２７０と、 
・ユーザがハイパーメディアリンクアイコンに対応付けられるマイクロウェブサイト／二次マルチメディアコンテンツ情報を構成するテーマを選択することができる第５の入力フィールド１２８０と、
・ユーザがマイクロウェブサイト／二次マルチメディアコンテンツ情報をハイパーメディアリンクアイコンに対応付ける第６の入力フィールド１２９０と、を含むがそれらに限定されない。
【００９７】
当業者にとって自明なように、ユーザ１２８０に提供されるマイクロウェブサイト／二次マルチメディアコンテンツ情報を構成するためのテーマは、該当する全フィールドを満たす条件をユーザに提供する空白型のテンプレートであってもよいし、あるいは、ＰｅｐｓｉＣｏ、Ｃｉｓｃｏ、Ａｐｐｌｅなどの大企業の場合のようにブランディングやソーシャルメディアリンクなどのコア共通情報が既にユーザ向けに設定されている予め構成済みの部分的に完成されたテンプレートであってもよい。任意で、第５の入力フィールド１２８０において選択可能なテーマはＨＣＳ−ＨＣＤＡＰエディタ１２００に対応付けることができるが、本発明の他の実施形態では、第三者ウェブエディタ、第三者ウェブ公開ツールなどに対応付けることもできる。
【００９８】
したがって、ＨＣＳ−ＨＣＤＡＰを利用する本発明の実施形態が、現行の単調な非インタラクティブマルチメディアコンテンツ、たとえば、ユーザに現在提供されている映像と異なり、豊富なマルチメディアコンテンツの機能をマルチメディアコンテンツの閲覧者（消費者）に提供することは明らかであろう。したがって、ユーザは、ユーザが現在閲覧している、および／または内部のマルチメディアコンテンツにアクセスしているマルチメディアコンテンツからもウェブサイト／ウェブページ／アプリケーションからも離れずに、追加調査を実行する、コンテンツを購入、記憶、リンク付けする、追加情報を取得することができる。したがって、上述するように、ＨＣＳ−ＨＣＤＡＰを利用する本発明の実施形態は、一次マルチメディアコンテンツ内にフレキシブルで追跡可能なマイクロウェブサイトを埋め込むことによってインタラクティブ機能を提供する。ウェブコンテンツのインフラストラクチャ、たとえばＨＴＭＬフレームを介して埋め込まれたマイクロウェブサイトは再配信および供給することができ、すべてのマイクロウェブサイト機能と二次マルチメディアコンテンツリンクは維持される。
【００９９】
ＨＣＳ−ＨＣＤＡＰ内の発明の実施形態は、マイクロウェブサイトと対応付けられたハイパーメディアリンクおよびハイパーメディアリンクアイコンに、様々なプラットフォームにわたって高い互換性を持たせ、特別なアプリケーションまたはダウンロードを必要とせずに容易にＨＣＳ−ＨＣＤＡＰマルチメディアコンテンツを共有および配信させるのにわずかなデータ読み込みしか必要としない。したがって、ＨＣＳ−ＨＣＤＡＰマルチメディアコンテンツおよび対応付けられたマイクロウェブサイトは複雑度の低いウェブフレームワークを基本として活用するため、データは複数のオペレーティングシステム、装置、アプリケーション上で広く互換性を有し、ＨＣＳ−ＨＣＤＡＰ マルチメディアコンテンツのあらゆるエレメントにおいて、消費者／ユーザ／閲覧者の使い勝手が非常によい。
【０１００】
本発明の１実施形態では、ＨＣＳ−ＨＣＤＡＰ技術を実行して、マルチメディアコンテンツの１層（または複数層）上への１以上の層のデータ成層を活用し、層を相互作用させる。したがって、１実施形態では、ＨＣＳ−ＨＣＤＡＰフレームワーク内で配信される一次マルチメディアコンテンツは、ユーザ／閲覧者から「アクセス可能な」２層を備える。これらのデータの２層のうち１層目は一次マルチメディアコンテンツ自体の層１であり、２層目はハイパーメディアリンクアイコンの層２である。上述したように、ハイパーメディアリンクアイコンは、ＨＣＳ−ＨＣＤＡＰ機能を備える公開一次マルチメディアコンテンツの生成業者によって確定される設定に応じて、可視、不可視などにすることができる。これらの２つの層である層１と層２は、ハイパーメディアリンクアイコンの座標、ハイパーメディアリンクアイコンの設計／サイズ、ハイパーメディアリンクアイコンのタイミング情報、対応付けられる各自の層のＩＤを含むが、それらに限定されない１セットのパラメータに基づき相互にリンク付けされる。このように、ハイパーメディアリンクアイコンは、一次マルチメディアコンテンツ内の特定エレメント、たとえば視覚的エレメントと対応付けることができる。本発明の他の実施形態では、このリンク付けはさらに複雑化して、ハイパーメディアリンクアイコンが追跡及びリンク付けされるように提示されるタイミング中、エレメントの位置を変動させることができる。
【０１０１】
ハイパーメディアリンクアイコンが選択されると、ＨＣＳ−ＨＣＤＡＰは、本発明の１実施形態では、一次マルチメディアコンテンツを一時停止し、マルチメディアコンテンツ内で第３の層である層３を開き、図３〜１０を参照して上述したように、マイクロウェブサイトとサイト内の二次マルチメディアコンテンツ、ソーシャルメディアリンク、ナビゲーション機能などを提供する。もしくは、アクションがログ記録され、一次マルチメディアコンテンツが継続し、後の所定ポイントまで追加層は開かれない。このような代替は図８および９に示される。任意で、マイクロウェブサイトは、最小化して、単に二次マルチメディアコンテンツのアイテムを提示するだけでよい、あるいは、追加情報／コンテンツの表示、ユーザによるソーシャルメディアの投稿、アイテムの購入などを可能にする豊富な機能を備えていてもよい。本発明の他の実施形態では、一次マルチメディアコンテンツは一時停止されないが、マイクロウェブサイト内のユーザのアクションに基づき、たとえば、再生を継続する、所定地点に戻る、所定地点へ進む、所定地点へ向かうことができる。マイクロウェブサイトの大きさと位置は、マイクロウェブサイト／ハイパーメディアリンクアイコン機能を有する一次マルチメディアコンテンツを生成するＨＣＳ−ＨＣＤＡＰシステムのユーザによって設定することができる。したがって、マイクロウェブサイトは、本発明の実施形態によると、完全に機能をカスタマイズできる独立したマイクロウェブサイトである。このウィンドウ内で、データを移動し、タスクを実行し、画像を閲覧し、リンクにアクセスすることができる。さらに、マイクロウェブサイトとのエンゲージメントは完全に追跡および解析可能であり、ハイパーメディアリンクアイコンの選択などのユーザアクションを追跡し、アナリティックスおよびその他の機能を提供することができる。したがって、音楽映像は、エレメントへのハイパーメディアリンクアイコンを内部に設け、ＨＣＳ−ＨＣＤＡＰ機能をもって公開する音楽映像製作者は、たとえば、１以上のエレメントとハイパーメディアリンクアイコンとを関わらせる閲覧者のクリック型アクションから収益を受け取ることができる。音楽映像内の他のハイパーメディアリンクアイコンは、単にミュージシャン、音楽またはそれが一部を成すコレクションの注文ページへのリンク付けを行うことができる。クリック毎の収入は、従来技術において既知であるように、単純な選択および／またはコンバージョンなどに基づくことができる。次に、コンテンツ製作者は、アクセスおよび／または再生されたアイテム以外のより複雑なデータおよびアナリティックスを受け取ることができる。
【０１０２】
本発明の実施形態のいくつかの実施形態では、追加層を設けて、一次マルチメディアコンテンツを公開したＨＣＳ−ＨＣＤＡＰ内のハイパーメディアリンクアイコンの視認度を切り替えることができる。したがって、この層、たとえば層４により、ユーザを最初の層１のコンテンツ、次に層３のコンテンツに戻らせるのではなく、層３内のエレメントを再度移動／再生する必要なく、層３のコンテンツを一時停止して隠すことができる。生来の閲覧者がＨＣＳ−ＨＣＤＡＰ機能の全部または一部をサポートしていない場合、閲覧者プラグインを提供することができる。このような場合、閲覧者は関連マイクロウェブサイト、すなわち層３を開いたままハイパーメディアリンクアイコンをクリックすることによってハイパーメディアリンクアイコンディスプレイ、すなわち層２をオンにすることができる、あるいは、デフォルトで表示されている場合はハイパーメディアリンクアイコンをオフにすることができるため、通常通り一次マルチメディアコンテンツを視聴することができるが、興味のある内容を選択し、関連ハイパーメディアリンクアイコンおよび表示されるエレメントが存在するか否かを確認することもできる。本発明の他の実施形態では、ハイパーメディアリンクアイコンをトリガしないアクションも追跡して、コンテンツプロバイダに追加データを設定させる、および／または他のアナリティックスを変更させることができる。たとえば、ＡｕｄｉＴＭは、図６および７に示すように新車の広告を公開し、ハイパーメディアリンクアイコンが非常に見えにくいとき、あるいは可視であるときすら、第４の画面画像６００Ｄおよび第５の画面画像６００Ｅに表示される広告の一部であるハイパーメディアリンクアイコン６５０を選択するよりも、背景のラジオおよび／または「Ｓ  ｔｒｏｎｉｃ」テキストをタップする閲覧者の方が多いことを、収集データから発見することができる。任意で、層２は２つ以上の層に分割することができ、オンまたはオフに切り替える、クティブまたはアクティブにすることができる様々なレベルのハイパーメディアリンクアイコンディスプレイを可能にする。
【０１０３】
図１１および１２に示すようなＨＣＳ−ＨＣＤＡＰエディタはユーザ、第三者などによってインストールすることができる、あるいは、クラウドベースのＨＣＳ−ＨＣＤＡＰエディタであってもよい。ＨＣＳ−ＨＣＤＡＰエディタは、ユーザが一次マルチメディアコンテンツにアクセスして、結果的に表示されるマイクロウェブサイト内の一次マルチメディアコンテンツおよび二次マルチメディアコンテンツにハイパーメディアリンクアイコンを対応付けるステップを実行することができるコンテンツ管理システム（ＣＭＳ）および／またはウェブ編集ツールセット（ＷＥＴＳ）である。他のＣＭＳ／ＷＥＴＳと共通して、ＨＣＳ−ＨＣＤＡＰエディタは、異なる複雑度で提供することができる、および／またはユーザの契約／キーに基づいて、ロック／アンロックされる機能を有することができる。このように、最初のＨＣＳ−ＨＣＤＡＰエディタは、限られた数の層がユーザに提供される機能を単に提供することができる一方、ＨＣＳ−ＨＣＤＡＰエディタの別の例では、ユーザが複数層で作業し、複数層上のハイパーメディアリンクアイコンを管理することで、たとえば閲覧者の能力または閲覧者の契約レベルに基づき異なるオプション／機能を備えたコンテンツを公開／発表させる高度および／または拡張機能を提供することができる。
【０１０４】
本発明の１実施形態に係るＨＣＳ−ＨＣＤＡＰエディタのユーザは、いったん公開の準備ができれば、一次マルチメディアコンテンツ、二次マルチメディアコンテンツ、層などを結合するため、埋込コードを入力するように求められる場合がある。この埋込コードは、一次マルチメディアコンテンツが共有／再配信される場合でも、アナリティックスを可能にする機構として採用することができる。ユーザは、ＨＣＳ−ＨＣＤＡＰエディタ内で、一次マルチメディアコンテンツ、二次マルチメディアコンテンツ、層などを閲覧、編集、管理するだけでなく、他のダッシュボードを利用して雇用データおよび／またはアナリティックスにアクセスし、それらを活用することができる。任意で、ＨＣＳ−ＨＣＤＡＰエディタは、アナリティックスなどが直接ＨＣＳ−ＨＣＤＡＰエディタ内ではなく、他のクラウドベースまたはインストールされたソフトウェアエレメントを通じてユーザにアクセス可能であるスイートの一部であってもよい。本発明の他の実施形態によると、完全および限定機能ＨＣＳ−ＨＣＤＡＰエディタを提供することができ、ユーザは層の一次マルチメディアコンテンツの表示を有効または無効にしつつＨＣＳ−ＨＣＤＡＰ機能一次マルチメディアコンテンツを閲覧できる一方、コンテンツアドレス、コンテンツ構造、層、関連分類コード（たとえばＨＴＭＬおよびＣＳＳ）を閲覧、追加、編集させる完全編集機能を設けることもできる。
【０１０５】
当業者にとっては、本発明の実施形態によれば、ＨＣＳ−ＨＣＤＡＰ層／ウィンドウ内の機能コードと共に複数種類および／またはレベルの機能をマルチメディアコンテンツに組み込むことができるのは自明であろう。また、ＨＣＳ−ＨＣＤＡＰシステム、プラットフォーム、ソフトウェアなどの構造のため、ユーザはｅコマース機能などの第三者プラグインを用いて、自身のポートフォリオに他の機能を埋め込み、追加することができる。したがって、広告主は、ＨＣＳ−ＨＣＤＡＰ機能を通じて閲覧者用の直接購入／収益化オプションをサポートする共用可能広告を配信することができる。したがって、マルチメディアコンテンツのエレメントは、任意でアクセス可能なデジタル店舗を表すビューで拡散させることができる。完全商業コンバージョンは、本発明の実施形態によるＨＣＳ−ＨＣＤＡＰプラットフォームを用いて、一次マルチメディアコンテンツ内で直接実現することができる。
【０１０６】
さらに、結果として生じる公開マルチメディアコンテンツは共有可能であるため、関連しあって、第三者ウェブサイトの完全トランザクションのホストとして機能し、ソーシャルメディアチャネルを通じて、ＨＣＳ−ＨＣＤＡＰ強化マルチメディアを通過させる機会を示す。さらに、ＳｈｏｐｉｆｙＴＭやＧｏＤａｄｄｙＴＭなどの第三者ｅコマースプラグインとの互換性により、ＨＣＳ−ＨＣＤＡＰ対応マルチメディアは、既に配置されているインフラとセキュリティを活用して、より広いｅコマース市場にアクセスすることができる。
【０１０７】
本発明の実施形態に係るＨＣＳ−ＨＣＤＡＰは、たとえば、クラウドベースのシステムでは、ユーザ証明書およびセキュリティ証明書を用いてアクセスすることができるＣＭＳ／エディタツールセットを提供する。したがって、クライアントがクラウドスイートに入ると、（エンドユーザが、埋め込まれたハイパーメディアリンクアイコンに後でアクセスするのと同じように）クライアントが閲覧しているエレメントをクリックすることによって、マルチメディアコンテンツをアップロードし、ハイパーメディアリンクアイコンを埋め込むことができる。ハイパーメディアリンクアイコンが埋め込まれると、ユーザはそれをポピュレートすることができる。本発明のいくつかの実施形態では、テンプレートを選択し、コンテンツをアップロードしてポピュレートすることによってウェブサイトを構築するのと同じように、エディタを使用してこれを実行することができる。本発明のいくつかの実施形態では、マイクロウェブサイトテンプレートは、第三者プロバイダからの標準ウェブサイトテンプレートの選択を通じて、あるいはＨＣＳ−ＨＣＤＡＰソフトウェア内にオプションとして設定することができる。この時点から、ユーザは先へ進んで、より多くのスポットを映像に埋め込むことができる、あるいはそれを公に公開することができる。ユーザがインタラクティブＨＣＳ−ＨＣＤＡＰ機能強化マルチメディアコンテンツを作成すると、クラウドベースの環境内にユニフォームリソースロケータおよび埋込コードを設けて、ウェブサイト、ブログ上で、ソーシャルメディアなどを通じて、所望に応じてどこにでも配信することができる。
【０１０８】
本発明の実施形態に係るＨＣＳ−ＨＣＤＡＰ  ＣＭＳによると、ユーザは、当該技術において既知なツールを用いて移動することによって、予め構築されたすべてのＨＣＳ−ＨＣＤＡＰ対応マルチメディアコンテンツにアクセスし管理することができる。任意のＨＣＳ−ＨＣＤＡＰ対応マルチメディアコンテンツを選択することによって、ユーザは、ウェブサイトを管理するときと全く同じように、ハイパーメディアリンクアイコンと対応付けられる各マイクロウェブサイトに二次マルチメディアコンテンツを編集し、更新することができる。有益なことに、ユーザは、いつ何時でもＨＣＳ−ＨＣＤＡＰ対応マルチメディアコンテンツを更新することができ、ＨＣＳ−ＨＣＤＡＰ対応マルチメディアコンテンツがクラウドベース配信内で共有／配信されたチャネルを通じて変更の複製を有することができる。
【０１０９】
多くのアプリケーションの中で特に、ｅラーニングは、利用可能な用途および市場のサブセットを表すことは明白であろう。しかしながら、従来技術のソリューションと異なり、ＨＣＳ−ＨＣＤＡＰ対応マルチメディアコンテンツによると、詳細をドリルダウン分析して、独自の方向性を開拓し、コンテンツなどをブックマーク、保存、タグ付けし、他人と共有することができる。したがって、本発明の実施形態に係る技術によれば、ユーザは、詳細な背景コンセプトを埋め込み、閲覧者にとって重要な特定のコンセプトを閲覧者自身にドリルダウン分析させながら。高度なプレゼンテーションまたはツアーを構築することができる。たとえば、４０分のデモ映像または講義映像は、ハイパーメディアリンクアイコンを通じた閲覧者の様々な選択に基づき、５分から最大４０分まで視聴時間を変動させることができるように最初の５分のセグメントまで低減させることができるが、ユーザは所望に応じて、たとえば独自のペースで前進する、後退する、前方に飛び越えることができる。さらに、様々な学習スタイルに適合するように様々な二次マルチメディアコンテンツを埋め込んで、共通の技術的バックボーンおよびマテリアルセットを維持しつつ、生徒毎にカスタマイズされた学習ソリューションを生み出すことができる。
【０１１０】
本発明の実施形態に関して上述したように、ユーザはオンライン一次マルチメディアコンテンツ内に直販路を埋め込む機能を有する。これは、埋め込まれて、一次マルチメディアコンテンツにリンクされるマイクロウェブサイトをサポートするように一次マルチメディアコンテンツを構成することによって達成される。この構造を構築する際、ＨＣＳ−ＨＣＤＡＰは、ユーザが一次マルチメディアコンテンツ内に見えるアイテムをクリックし、一次マルチメディアコンテンツの上に一次マルチメディアコンテンツ内のマイクロウェブサイトを開き、完全なトランザクションを実行することができる構成を達成できている。この特徴の価値は、購入者がトランザクションを完了させるために一次マルチメディアコンテンツから出て広告主のウェブサイトまたは第三者ウェブサイトまで移動する必要がないため、ユーザのエンゲージメントと購入完了間のいくつかのステップを省略できることである。つまり、ユーザは、単独地点からウェブ上の複数位置でのトランザクションを実行できる。クライアントは、メディアマーケティングキャンペーンの配信プロセスを通じて、インターネット中にデジタル店舗を配置することができ、上記デジタル店舗は、ハイパーメディアリンクアイコンの選択時に閲覧者に即時にアクセス可能となる。
【０１１１】
有益なことに、ハイパーメディアリンクアイコンが追加層のマイクロウェブサイトをトリガすると、ＨＣＳ−ＨＣＤＡＰは市場戦略情報ダッシュボードおよびエンゲージメントアナリティックスを設定し活用することができる。各ハイパーメディアリンクマイクロウェブサイトは本発明の実施形態に応じて設計されて、ＵＲＬによって特定される機能を含むウェブサイトの等価の基本機能を提供する。したがって、本発明の実施形態では、サーチエンジン最適化の測定に利用可能な同じツールを、ハイパーメディアリンクのクリック率や、各マイクロウェブサイト内で実行される行動などを追跡するのにも採用することができる。
【０１１２】
例示的システムのコンポーネント
【０１１３】
図１３は、例示的１実施形態によりインタラクティブメディア開発および配信を提供する例示的システム１５００のコンポーネントを示す。例示的システム１５００では、メディアコンテンツサービス１５０１は、１以上の開発サーバ１５０３上のウェブベースのメディア開発環境をホストとし、該サーバは、１以上のネットワーク１５１３上で、インタラクティブメディアコンテンツを設計しているユーザによって操作される設計者コンピュータ１５０７にアクセス可能である。開発サーバ１５０３は、プロジェクトデータベース１５０５のプロジェクト記録にメディアプロジェクトのエレメントを記憶することができる。開発サーバ１５０３は、特定のメディアプロジェクトの設計エレメントをインタラクティブメディアファイルにコンパイルすることができる。次に、開発サーバ１５０３は、１以上のネットワーク１５１３を介して、ウェブサービスサーバ１５１１ａ〜ｃまたはエンドユーザ装置１５０９などの１以上の宛先装置にインタラクティブメディアファイルを配信することができる。 
【０１１４】
メディアコンテンツサービス
【０１１５】
例示的システム１５００では、メディアコンテンツサービス１５０１は、任意の数の開発サーバ１５０３と任意の数のプロジェクトデータベース１５０５を備えることができる。メディアコンテンツサービス１５０１は、インタラクティブメディアファイルを生成および配信するウェブベースのサービスを提供することができ、たとえば、各種ウェブサービスプロバイダ１５１１をホストとするウェブページまたはソーシャルメディア販路を通じてエンドユーザ装置１５０９に提示されるインタラクティブコンテンツを含む機械可読ソフトウェアモジュールであってもよい。
【０１１６】
開発サーバ
【０１１７】
開発サーバ１５０３は、インタラクティブメディアファイルを生成するウェブベースのソフトウェアアプリケーション、および／または演算ネットワーク１５１３を介してインタラクティブメディアファイルを任意の数の宛先装置に配信するソフトウェアモジュールのホストとして機能するように構成される演算装置であってもよい。例示的システム１５００は図１５００では単独の開発サーバ１５０３を有するように図示されているが、システム１５００は任意の数の開発サーバ１５０３を備えることができると理解すべきである。開発サーバ１５０３は、本明細書に記載する各種タスクおよびプロセスのうち１つ以上を実行するように構成することができるプロセッサを備える任意の演算装置であってもよいと理解すべきである。
【０１１８】
開発プラットフォーム
【０１１９】
開発サーバ１５０３は、演算ファイルおよびプログラムコードの論理層をインタラクティブメディアファイルにコンパイルされるように操作することによって、インタラクティブメディアファイルを開発および設計するウェブベースのソフトウェアアプリケーション（「開発プラットフォーム」）をホストするように構成されるウェブサーバソフトウェアプログラム（たとえばＡｐａｃｈｅ（登録商標）、Ｍｉｃｒｏｓｏｆｔ  ＩＩＳ（登録商標））を備えることができる。言い換えると、各層は、インタラクティブメディアファイルの機能的および／または美的設計エレメントを提供する演算ファイルまたはプログラミングを備えることができる。開発プラットフォームアプリケーションは、設計者装置１５０７に提示される各種ブラウザベースのグラフィカルユーザインタフェースを生成し、対話することができる。いくつかの実施形態では、開発アプリケーションは、インタラクティブメディアファイルの機能的および美的設計エレメントを構成するのに使用するＷＹＳＷＩＧエディタ機能を含むことができる。上記実施形態では、開発プラットフォームアプリケーションは、設計者によるウェブベースのソフトウェアアプリケーションのグラフィカルユーザインタフェースへの入力に基づき、インタラクティブメディアファイルの各層に対してソフトウェアコードを自動的に生成することができる。さらに、またはもしくは、設計者装置１５０７は、各種ファイル、データ、ソフトウェアコードスクリプト、その他の選択入力を開発者サーバ１５０７に送信して、インタラクティブメディアファイルの機能的および美的設計エレメントを構成することができる。
【０１２０】
インタラクティブメディアファイルは、プログラムコード、ファイル、またはデータを備える複数の論理層をコンパイルすることによって開発することができる。各層は、ウェブページ機能上のウェブブラウザを命令するｉＦｒａｍｅ、Ｆｌａｓｈ（登録商標）プレーヤ、またはＨＴＭＬ５コンテナエレメントなどのプログラムコードの自己完結型サブセットであってもよい。設計ウェブベースのアプリケーションを通じて、設計者装置１５０７は、特定の層の機能的および美的要素を構成する入力を提供することができる。入力は、設計エレメントを共にコンパイルしてインタラクティブメディアファイルを形成する前に、設計者が進行中のメディアプロジェクトの所与の層で含めたいと思う特定の設計エレメントに対する機械可読ポインタを含むことができる。場合によっては、ポインタは、メディアファイルなどのファイルを記憶する特定のファイルディレクトリにウェブブラウザを指し示すことによって設計者装置１５０７が開発サーバ１５０３にファイルをアップロードし、プロジェクトデータベース１５０５に記憶することができるリソースロケータストリングであってもよい。場合によっては、ポインタは、ウェブサービスプロバイダ１５１１のプロバイダサーバ１５１１ａ〜ｎをホストとする、あるいはそれ以外の形で記憶されるメディアコンテナ、ファイル、またはその他のエレメントに対するユニフォームリソースロケータ（ＵＲＬ）であってもよい。
【０１２１】
たとえば、メディア層は、設計者がインタラクティブメディアファイルに含めたいと思うＹｏｕ  Ｔｕｂｅ（登録商標）映像のホストとなるｉＦｒａｍｅを備えることができる。もしくは、設計者は、映像をウェブベースのアプリケーションにアップロードし、その映像を、ＨＴＭＬ５コンテナエレメントまたはＦｌａｓｈ（登録商標）プレーヤに埋め込む、あるいは変換することができる。本例では、設計者は、Ｙｏｕ  Ｔｕｂｅ（登録商標）サーバ１５１１ａをホストとするＹｏｕ  Ｔｕｂｅ（登録商標）映像を指し示すＵＲＬを選択フィールドに入力することができる。ＵＲＬポインタはプロジェクトデータベース１５０５に記憶することができるため、プロジェクトが設計者によって閲覧および操作されるたび、開発サーバ１５０３は、リンク付けされたＹｏｕ  Ｔｕｂｅ（登録商標）映像をＹｏｕ  Ｔｕｂｅ（登録商標）サーバ１５１１ａから検索して、進行中のメディアプロジェクトのメディア層に表示することができる。別の例では、開発サーバ１５０３は、設計者装置１５０７からアップロード済みのメディアファイルを受信する、メディアファイルをプロジェクトデータベース１５０５に記憶する、および／またはメディアファイルをＦｌａｓｈ（登録商標）再生可能ファイルに変換する、またはメディアファイルをＨＴＭＬ５エレメントに埋め込むように構成することができる。
【０１２２】
インタラクティブメディアファイルの機能的側面を構築する際、開発サーバ１５０３により、設計者はメディアファイル上に論理的に成層されるキャンバスファイルを構成する選択を入力することができる。各キャンバスファイルは、別個のプログラミングコードを備えるＨＴＭＬ５を備えるコンテナなどのウェブベースの設計エレメントであってもよい。いくつかの実施形態では、開発サーバ１５０３は、キャンバスファイル用のＷＹＳＩＷＹＧコードエディタとして機能し、設計者のグラフィカルユーザインタフェースへの入力に基づきキャンバスファイルのコードを自動的に生成することができる。また、設計者は、キャンバスファイルの基本を成すコードを手動で生成する、あるいは他の操作を行うこともできる。キャンバスファイルは、プロジェクトデータベース１５０５の、進行中のメディアプロジェクトのプロジェクト識別子によって特定されるプロジェクト記録に記憶することができる。いったんインタラクティブメディアファイルが開発サーバ１５０３によってコンパイルされれば、各キャンバス層のプログラムコードは最終的に、インタラクティブメディアファイルの機能的側面を提供する。すなわち、設計者は、１以上のキャンバスファイルを生成して、選択されたメディアファイルに重ね合わせるように開発サーバ１５０３に命令した後、プロジェクト識別子に対応付けられ、プロジェクトデータベース１５０５に記憶された設計エレメント（たとえば、メディアファイル、キャンバスファイル）を用いてインタラクティブメディアファイルを生成するように開発サーバ１５０３に指示することができる。次に、開発サーバ１５０３は、メディアプロジェクトと対応付けられる設計エレメントのプログラムコードをコンパイルして、インタラクティブメディアファイルの機械可読ソフトウェアコードを生成することができる。
【０１２３】
開発サーバ１５０３は、インタラクティブメディアファイルの解釈、再生、対話を行うように構成されるメディアプレーヤ ソフトウェアモジュール（「メディアプレーヤ」）を生成し、ホストし、更新し、配信することができる。より具体的には、メディアプレーヤは、インタラクティブメディアファイルの基本ソフトウェアコードの解釈および対話を行うように構成されるコンピュータプログラムであってもよい。インタラクティブメディアファイルが、ウェブサービスプロバイダ１１５１を介してエンドユーザコンピュータ１５０９によってアクセスされると、インタラクティブメディアファイルのソフトウェアコードが、特定のプロバイダサーバ１１５１ａをホストとするメディアプレーヤインスタンスによって解釈される。動作時、メディアプレーヤは、インタラクティブメディアファイルのメディアを再生し、ホストウェブページ内に埋め込まれた自己完結型環境内で、エンドユーザコンピュータ１５０９に機能的設計エレメントを配信することができる。
【０１２４】
たとえば、Ｙｏｕ  Ｔｕｂｅ（登録商標）映像などの従来の埋込型ウェブベースの機能と同様、開発サーバ１５０３は第三者ソースからメディアをフェッチするコードまたはリンクを生成することができ、ブラウザは、現在のウェブサイトを閲覧し、現在のウェブサイト上で第三者ソースからの各種機能にアクセスできる。設計者はたとえば、ソーシャルメディアサーバ１１５１ｂ（たとえば、Ｆａｃｅｂｏｏｋ（登録商標））をホストとするソーシャルメディアウェブページにハイパーリンクを埋め込むことができる。エンドユーザコンピュータ１５０９のブラウザがリンクを起動すると、ソーシャルメディアサーバ１１５１ｂは、開発サーバ１５０３からメディアプレーヤをロードすることができ、インタラクティブメディアファイルのｉＦｒａｍｅ内のプログラムコードが、第三者ウェブサービスプロバイダ１５１１またはプロジェクトデータベース１５０５からすべての機能アセットを引き込む。しかしながら、従来の埋込型ウェブ機能と異なり、開発サーバ１５０３は、インタラクティブメディアファイルの各層に対して任意の数の埋込コードを生成することができ、各層はメディアアセットおよび／または追加ウェブコンテンツ（たとえば、ウェブサイト、ウェブベースのアプリケーション）を呼び出す。したがって、設計者は様々な層に対してソフトウェアコードを生成する必要がなく、メディアプレーヤのホストとなるサーバは複数サイトからコンテンツを引き出す必要がない。エンドユーザがインタラクティブメディアファイルと対話する場合、エンドユーザコンピュータ１５０９のウェブブラウザを新たなウェブページ、タブ、またはウィンドウに誘導する要件は存在せず、第三者のウェブサイトの新たなＵＲＬへのリダイレクトを含むインタラクティブメディアファイルとのすべての対話は、現在のウェブサイトにインタラクティブメディアファイルを表示するメディアプレーヤの境界内に含めることができる。
【０１２５】
プロジェクトデータベース
【０１２６】
コンテンツメディアサービス１５０１は、メディアプロジェクト記録内の進行中のおよび完了したメディアプロジェクトを記憶するプロジェクトデータベース１５０５を備えることができる。プロジェクトデータベース１５０５は、非一時的機械可読記憶媒体と、本明細書に記載する各種タスクおよびプロセスを実行するように構成されるプロセッサと、を備える任意の数のサーバをホストとすることができる。プロジェクトデータベース１５０５は、開発サーバ１５０３に接続し、開発サーバ１５０３の命令に基づき、メディア記録を問い合わせ、フェッチし、記憶し、更新することができる。動作時、プロジェクトデータベース１５０５のメディアプロジェクト記録は、進行中のメディアプロジェクトまたはインタラクティブメディアファイルに対応付けられるプロジェクト特定値に応じて、設計プラットフォームアプリケーションによって識別することができる。新たなファイルおよび設計エレメントがアップロードまたは生成されると、ファイルは各自のメディアプロジェクトのプロジェクトメディア記録に記憶させる、場合によっては、プロジェクト識別子に対応付けることができる。
【０１２７】
また、開発サーバ１５０３は、メディアプロジェクト記録に記憶されるデータとファイルからコンパイルされるインタラクティブメディアファイルと対応付けられる埋込コードまたはハイパーリンクストリング（すなわち、ＵＲＬ）を生成および配信することができる。ウェブプロバイダサーバ１１５１ａ〜ｎまたはエンドユーザ装置１５０９によって始動または要求されると、開発サーバ１５０３のウェブサーバモジュールまたはアプリケーションモジュールは、プロジェクトデータベース１５０５を参照して、埋込コードまたはハイパーリンクによって特定されるインタラクティブメディアファイルを検索し提供することができる。プロジェクトデータベース１５０５は、特定の埋込コードまたはハイパーリンクを有するインタラクティブメディアファイルに問い合わせてフェッチすることができる。
【０１２８】
ウェブサービス
【０１２９】
ウェブサービスプロバイダ１５１１は、インターネット上でアクセス可能なコンテンツ、ウェブベースのアプリケーション、またはデータをホストするエンティティであってもよく、マーチャントウェブサイト（たとえば、Ａｍａｚｏｎ（登録商標）、Ａｕｄｉ（登録商標）、Ｅｘｐｅｄｉａ（登録商標））、ウェブベースのメディアコンテンツ（たとえば、Ｉｎｓｔａｇｒａｍ（登録商標）、Ｖｉｍｅｏ（登録商標）、Ｙｏｕ  Ｔｕｂｅ（登録商標）、ＣＢＳ（登録商標）、ＥＳＰＮ（登録商標））、またはウェブベースまたはクラウドサービス（たとえば、ＰａｙＰａｌ（登録商標）、Ｇｏｏｇｌｅ  Ｄｒｉｖｅ（登録商標）、Ｅｖｅｒｎｏｔｅ（登録商標）、Ｏｐｅｎ  Ｔａｂｌｅ（登録商標）、Ｆａｃｅｂｏｏｋ（登録商標）、ＬｉｎｋｅｄＩｎ（登録商標））のプロバイダを含むことができる。特定の製品またはサービスの提供はそれぞれ、１以上のネットワーク１５１３上で開発サーバ１５０３、設計者装置１５０７、エンドユーザ装置１５０９にアクセス可能なプロバイダサーバ１５１１〜ｎをホストとすることができる。
【０１３０】
例示的システム１５００は任意の数のプロバイダサーバ１１５１ａ〜ｎを備えることができる。プロバイダサーバ１１５１ａは、ウェブベースのソフトウェアアプリケーションまたはウェブサイトをホストとし、特定のサービスまたはモノをエンドユーザ装置１５０９などのシステム１５００の装置を提供するように構成されるソフトウェアモジュールを実行するプロセッサを備える任意の演算装置であってもよい。いくつかの例では、プロバイダサーバ１１５１ａ〜ｎはアプリケーションプログラミングインタフェース（ＡＰＩ）を公開することができ、該インタフェースは、開発サーバ１５０３のような演算装置、またはインタラクティブメディアファイルおよびメディアプレーヤのようなソフトウェアモジュールと、プロバイダサーバ１１５１ａ〜ｎとのデータ値または命令の通信を可能にするプログラムコードモジュールであってもよい。システム１５００に接続される１以上のプロバイダサーバ１１５１ａ〜ｎとデータ値および／または命令をやり取りするため、開発サーバ１５０３は、インタラクティブメディアファイルにコンパイルされるとき、プロバイダサーバ１１５１ａ〜ｎのＡＰＩを用いて通信するようにインタラクティブメディアファイルを構成するプログラムコードを備えたキャンバスファイルを生成することができる。
【０１３１】
１例として、設計者は、開発サーバ１５０３をホストとする設計者アプリケーションを使用して、メディアファイル上のインタラクティブキャンバス層にキャンバスファイルを生成することができる。開発サーバ１５０３は、プロジェクトデータベース１５０５内のメディアインタラクティブファイルを参照するハイパーリンクの埋込コードを生成することができる。本例では、インタラクティブメディアファイルのコンパイルおよび生成後、設計者またはエンドユーザは、ウェブページにメディアコンテンツサービス１５０１のメディアプレーヤを埋め込むことができ、メディアプレーヤは埋込コードに応じてインタラクティブメディアファイルを検索し再生するように構成される。もしくは、埋込コードは設計者またはエンドユーザに提供することができ、プロバイダサーバ１５１１ａ〜ｎをホストとするウェブページまたはコンピュータアプリケーションのプログラムコードに埋め込まれたコードを含むことができる。たとえば、エンドユーザまたは設計者は、ソーシャルメディアの投稿として埋込コードを入力することによって、ソーシャルメディアプロバイダサーバ１１５１ｂのＡＰＩに応じて開発サーバ１５０３からメディアプレーヤおよびインタラクティブメディアファイルをフェッチするようにソーシャルメディアプロバイダサーバ１１５１ｂに命令することができる。
【０１３２】
ユーザ演算装置
【０１３３】
システム１５００は、設計者装置１５０７とエンドユーザ装置１５０９などの任意の数のクライアント演算装置を備えることができる。クライアント演算装置１５０７、１５０９は、本明細書に記載の様々なタスクとプロセスを実行することができるプロセッサを備える任意の演算装置であってもよい。クライアント演算装置１５０７、１５０９の非限定的な例は、ワークステーションコンピュータ、ラップトップコンピュータ、サーバコンピュータ、タブレット、モバイル装置などを含んでもよい。
【０１３４】
設計者装置１５０７は、メディアプロジェクト上で作業してインタラクティブメディアファイルを生成する設計者によって使用される演算装置であってもよい。設計者がメディアプロジェクトを作製するため、設計者装置１５０７は、１以上のネットワーク１５１３ａを介して、開発サーバ１５０３をホストとする開発プラットフォームウェブアプリケーションにアクセスする。設計者装置１５０７のウェブブラウザアプリケーションは、開発プラットフォームによって生成され、ウェブブラウザを通じて提示されるユーザインタフェースと対話する際、設計者から提供される入力に基づき、開発プラットフォームアプリケーションとデータ値および命令をやり取りする。状況によっては、設計者装置１５０７は、プロバイダサーバ１１５１ａ〜ｎにアクセスしてファイル、ポインタ、またはその他のプログラムコード（たとえば、ＡＰＩ）を検索した後、進行中のメディアプロジェクトの１以上の層に組み込むため、開発プラットフォームアプリケーションに提供することができる。また、設計者装置１５０７は、開発サーバ１５０３から埋込コードまたはハイパーリンクを提供されて、インタラクティブメディアファイルをコンパイルし生成することができる。次に、設計者装置１５０７は、プロバイダサーバ１１５１ａ〜ｎをホストとするプログラムコードに埋め込まれたコードまたはハイパーリンクを含むことができる。
【０１３５】
エンドユーザ装置１５０９は、ウェブベースのアプリケーション、演算サービス、またはメディアコンテンツサービス１５０１のインタラクティブメディアファイルおよびメディアプレーヤへの遠隔呼出し（たとえば、埋込コード、ハイパーリンクＵＲＬ）を有するその他の形式のウェブサイトのホストとなるプロバイダサーバ１１５１ａ〜ｎにアクセスすることができるウェブブラウザを備えた任意の演算装置であってもよい。場合によっては、エンドユーザ装置１５０９は、プロバイダサーバ１１５１ａ〜ｎをホストとする特定のウェブページにアクセスし、次いで、前記ページにアクセス中、ハイパーリンクを起動する、あるいは他の入力をユーザインタフェースに打ち込むことで、開発サーバ１５０３からインタラクティブメディアファイルおよびメディアプレーヤを要求するようにプロバイダサーバ１１５１ａ〜ｎに命令することができる。上記の場合、開発サーバ１５０３は、エンドユーザが遠隔呼出しを始動したとき、プロバイダサーバ１５１１ａ〜ｎから開発サーバ１５０３に送信される埋込コードまたはハイパーリンクによって特定されるメディアプレーヤおよびインタラクティブメディアファイルを送信することができる。次に、エンドユーザ装置１５０９は、現在のウェブページを離れずに、あたかも自己完結型ソフトウェアアプリケーションであるかのようにインタラクティブメディアファイルと対話することができる。言い換えると、エンドユーザ装置１５０９は、第１のプロバイダサーバ１５１１ａのウェブサイトをホストとするメディアプレーヤとインタラクティブメディアファイルを閲覧し対話することができる一方、インタラクティブメディアファイルの基本メディアコードにより、メディアプレーヤとインタラクティブメディアファイルを通じて受信される際、第２のプロバイダサーバ１５１１ｂの各種演算サービスおよびインタフェースと直接通信することができる。
【０１３６】
例示的方法
【０１３７】
図１４は、例示的実施形態により、任意の数の装置に配信することができる新たなインタラクティブメディアプロジェクトを生成する例示的方法１６００の実行を示す。例示的方法１６００はステップ１６０２、１６０４、１６０６、１６０８を示すが、他の実施形態では１以上のステップを省略してもよい、あるいは追加または代替ステップを含んでいてもよいと理解すべきである。開発サーバは、設計者が設計者装置にアクセスして、インタラクティブメディアファイルを構成、生成、配信、交信することができる開発プラットフォームアプリケーションのホストとして機能することができる。いくつかの実施形態では、開発プラットフォームアプリケーションのホストとなる開発サーバは、設計者が新たなメディアプロジェクトの開始を選択するとき、新たなメディアプロジェクト用の新たなプロジェクト記録を生成することができる。メディアプロジェクトの記録は、プロジェクトデータベースに記憶することができ、他の可能な埋込コードまたはハイパーリンクの中で特にプロジェクト特定値に応じて、開発サーバなどの任意の数の装置によって検索可能である。
【０１３８】
第１のステップ１６０２では、開発アプリケーションをホストする開発サーバは、インタラクティブメディアファイルのメディア層のために、メディアファイルへのポインタを受け取る。いくつかの例では、ポインタは、Ｙｏｕ  Ｔｕｂｅ（登録商標）またはＶｉｍｅｏ（登録商標）などの第三者サーバをホストとする映像へのＵＲＬまたは埋込コードであってもよい。開発サーバはメディアファイルを検索し、ｉＦｒａｍｅなどのウェブベースのコードコンテナ内のメディアファイルを開発アプリケーションのパレットインタフェースに表示して、設計者をメディアファイルと対話させることができる。いくつかの例では、クライアント側でユーザによってグラフィカルユーザインタフェースに入力されるポインタは、特定のファイルディレクトリポインタによって特定されるメディアファイルをアップロードするようにエンドユーザ装置のウェブブラウザに命令するファイルディレクトリポインタであってもよい。開発サーバは、プログラムコードとしてメディア層をプロジェクト記録に記憶させることができる。また、開発サーバは、メディアファイルが開発サーバにローカルでアクセス可能であるとき、メディアプロジェクト記録にメディアファイルを記憶することができる。メディア層のプログラムコードは、Ｙｏｕ  Ｔｕｂｅ（登録商標）映像などの遠隔メディアファイルに遠隔呼出しを行うコードを備えることができる、あるいは、プロジェクトデータベースに記憶されるメディアファイルに呼出しを行うコードを備えることができる。
【０１３９】
次のステップ１６０４では、開発サーバは、メディアファイルの大きさに基づき第１のキャンバスファイルを生成することができる。本ステップでは、ユーザは、インタラクティブキャンバスファイルを作成してメディアファイル上に配置するように開発プラットフォームアプリケーションに要求することができる。開発サーバはメディアファイルの大きさを自動的に検出した後、プログラムコード用にｉＦｒａｍｅなどのコンテナを生成することができる。第１のキャンバスファイルのプログラムコードは、メディア層に重ね合わされる第１のキャンバス層の機能的または美的設計エレメントを含み、様々なインタラクティブ機能を実行する、および／または第三者ソースにアクセスすることができる。開発サーバは第１のキャンバスファイルのインタラクティブオプションとメディアファイルのタイミングを同期化することができるため、キャンバス層とメディア層は提示されるときに適切に同期化される。第１のキャンバスファイルおよびメディアファイルの内部マッピング座標は、設計者が特定の設計エレメントをキャンバスファイルに含め、メディアファイルの特定位置に視覚的に配置できるように配列することができる。その結果、第１のキャンバス層に導入される設計エレメントは、メディア層の所望位置に予測可能に表示される。第１のキャンバス層は、図２〜１４の例示的実施形態に記載される機能および特徴を含むがそれらに限定されないインタラクティブ機能およびオプションを含むことができる。
【０１４０】
場合によっては、開発サーバは、第１のキャンバスファイル、設計エレメント、機械可読ファイル、データ、またはキャンバスファイルへのその他の追加入力をプロジェクトデータベースに記憶することができる。 
【０１４１】
次のステップ１６０６では、開発サーバは、第２のキャンバス層のプログラムコードを備える第２のキャンバスファイルを生成し、第１のキャンバスファイルおよびメディアファイル上に重ね合わせることができる。第２のキャンバスファイルは、各種機能を実行する、および／またはデータに関して第三者ソースにアクセスするように構成されるｉＦｒａｍｅなどのプログラムコード用コンテナであってもよい。キャンバスファイルは、メディアファイル上にインタラクティブユーザインタフェースとして視覚的に提示されるインタラクティブインタフェースを表示することができる。ユーザが第１のキャンバスファイルと相互作用すると、第２のキャンバスファイルは、第１のキャンバスファイルで利用可能な選択に基づき、追加のユーザインタフェース機能を提供することができる。
【０１４２】
たとえば、第１のキャンバスファイルは、第１のキャンバスファイルでの選択にリンク付けされる第２のキャンバスファイルを提示するようにインタラクティブメディアファイルに命令するコードを備えることができる。本例では、メディアファイルは車の画像を提示することができ、ユーザがたとえば、車のタイヤ部の画素を選択することができる第１のキャンバスファイルを有する。次いで、第１のキャンバスファイルは、たとえば、タイヤ購入ウェブサイトのモバイル版、あるいはタイヤ購入ウェブサイトの簡略版アプレットまたはウィジェットを表示する第２のキャンバスファイルを提示することができる。第２のキャンバスファイルのプログラムコードは、エンドユーザ装置と、本例ではタイヤ購入ウェブサイトなどの第三者サービスプロバイダのサーバとの間のデータ通信を簡易化することができる。
【０１４３】
場合によっては、開発サーバは、第２のキャンバスファイル、設計エレメント、機械可読ファイル、データ、第２のキャンバスファイルへのその他の追加入力をプロジェクトデータベースに記憶することができる。
【０１４４】
次のステップ１６０８では、開発サーバはメディアファイル、第１のキャンバスファイル、第２のキャンバスファイルを、インタラクティブメディアファイルのコードにコンパイルすることができる。本ステップでは、開発者サーバは、プロジェクト識別子を有するメディアプロジェクト記録に記憶されるファイルをフェッチすることができる。次に、開発サーバはインタラクティブメディアファイルのコードを生成することができ、該ファイルは、開発プラットフォームをホストするメディアコンテンツサービスと対応付けられる互換性メディアプレーヤによって消費することができるファイルフォーマットを有する。コンパイル時、開発サーバは、開発サーバを、インタラクティブメディアファイルを含むプロジェクト記録に導く埋込コードまたはハイパーリンクを生成することができる。
【０１４５】
図１５は、例示的１実施形態により、要求されたインタラクティブメディアファイルを要求元の装置に配信する例示的方法１７００の実行を示す。例示的方法はステップ１７０１、１７０３、１７０５、１７０７を示すが、他の実施形態は１以上のステップを省略することができる、あるいは追加または代替ステップを含むことができる。
【０１４６】
第１のステップ１７０１では、開発サーバは、インタラクティブメディアファイル用の埋込コードまたはハイパーリンクを含むウェブページまたはウェブアプリケーションをホストするプロバイダサーバから、インタラクティブメディアファイルおよびメディアプレーヤのリクエストを受け取ることができる。
【０１４７】
次のステップ１７０３では、開発サーバは、埋込コードに基づき、プロバイダサーバが呼び出しているインタラクティブメディアファイルを特定することができる。場合によっては、開発サーバは、キャッシュメモリまたはその他の容易にアクセス可能なメモリにインタラクティブメディアファイルを記憶することができ、適切なインタラクティブメディアファイルを迅速に特定して、プロバイダサーバに送信することができる。場合によっては、埋込コードまたはハイパーリンクメディアファイルは、開発サーバをプロジェクトデータベース内のメディアプロジェクト記録に導くことができる。メディアプロジェクト記録は、インタラクティブメディアファイルを生成するのに使用された各種ファイルおよびデータを含むことができる。メディアプロジェクト記録はインタラクティブメディアファイルを記憶することができる。したがって、開発サーバは、埋込コードによって示される記録の埋込コードまたはプロジェクト識別子に基づき、プロジェクト記録からインタラクティブメディアファイルをフェッチすることができる。
【０１４８】
次のステップ１７０５では、開発サーバは、インタラクティブメディアファイルの基本ファイルまたはデータへの更新があるか否かを判定し、その後、インタラクティブ開発ファイルの一部のみを再コンパイルすることができる。Ｆｌａｓｈ（登録商標）などの従来のツールでは、Ｆｌａｓｈ（登録商標）メディアファイルへの変更があれば、設計者のコンピュータ上のＦｌａｓｈ（登録商標）メディアファイル全体を再コンパイルし、その後、最新バージョンのＦｌａｓｈ（登録商標）メディアファイルを再配信しなければならない。しかしながら、開発サーバは、再コンパイルすることなくメディアプレーヤおよびインタラクティブメディアファイルを配信することができる。すなわち、開発サーバは実行時間時にインタラクティブメディアファイルをアセンブルすることができるため、インタラクティブメディアファイルの基本コードはメディアファイルおよびキャンバスファイルの最新バージョンを呼び出すことができ、メディアプレーヤは最新バージョンのインタラクティブメディアファイルを呼び出すことができる。
【０１４９】
次のステップ１７０７では、開発サーバは、インタラクティブメディアファイルおよび／またはメディアプレーヤを、埋込コードの呼出しを発信した遠隔装置に送信することができる。
【０１５０】
本発明を完全に理解してもらうために、上述の説明では具体的な細部を記載した。しかしながら、実施形態はこれらの具体的細部なしでも実行することができると理解される。たとえば、不必要な細部で実施形態を曖昧にしないように回路はブロック図で示してもよい。他の例では、周知の回路、プロセス、アルゴリズム、構造、技術は、実施形態を曖昧にするのを防ぐため、不必要な細部を描かずに示すことができる。
【０１５１】
上述の技術、ブロック、ステップ、手段は、様々な形で実行することができる。たとえば、これらの技術、ブロック、ステップ、手段は、ハードウェア、ソフトウェア、またはそれらの組み合わせで実行することができる。ハードウェア実装の場合、処理部は、１つ以上の用途特定集積回路（ＡＳＩＣ）、デジタル信号プロセッサ（ＤＳＰ）、デジタル信号処理装置（ＤＳＰＤ）、プログラマブル論理装置（ＰＬＤ）、フィールドプログラマブルゲートアレイ（ＦＰＧＡ）、プロセッサ、コントローラ、マイクロコントローラ、マイクロプロセッサ、上述の機能を実行するように設計されたその他の電子部、および／またはそれらの組み合わせ内に実装することができる。
【０１５２】
なお、実施形態は、フローチャート、フロー図、データフロー図、構造図、またはブロック図で示されるプロセスとして記載してもよい。フローチャートは順次プロセスとして動作を記載することができるが、動作の多くは並列または同時に実行することができる。また、動作の順序は再配列することができる。動作が完了すればプロセスは終了するが、図面に含まれない追加ステップを有することができる。プロセスは、方法、機能、手順、サブルーチン、サブプログラムなどに対応していてもよい。プロセスが機能に対応するとき、終了は呼出し機能または主機能への機能の復帰に対応する。
【０１５３】
さらに、実施形態は、ハードウェア、ソフトウェア、スクリプト言語、ファームウェア、ミドルウェア、マイクロコード、ハードウェア記述言語および／またはそれらの組み合わせによって実現されてもよい。ソフトウェア、ファームウェア、ミドルウェア、スクリプト言語および／またはマイクロコードで実行される場合、必要なタスクを実行するプログラムコードまたはコードセグメントは記憶媒体などの機械可読媒体に記憶させてもよい。コードセグメントまたは機械実行可能命令は、手順、機能、サブプログラム、プログラム、ルーチン、サブルーチン、モジュール、ソフトウェアパッケージ、スクリプト、クラス、または命令の組み合わせ、データ構造、および／またはプログラム文を表してもよい。コードセグメントは、情報、データ、引数、パラメータおよび／またはメモリコンテンツを伝達および／または受信することによって、別のコードセグメントまたはハードウェア回路に接続させることができる。情報、引数、パラメータ、データなどは、メモリ共有、メッセージ伝達、トークン伝達、ネットワーク送信などの任意の適切な手段を介して伝達、転送、または送信することができる。
【０１５４】
ファームウェアおよび／またはソフトウェア実装の場合、該方法は、本文書に記載する機能を実行するモジュール（たとえば、手順、機能など）を用いて実行することができる。命令を有形に具体化する機械可読媒体は、本文書に記載する方法を実行する際に使用することができる。たとえば、ソフトウェアコードはメモリに記憶させることができる。メモリは、プロセッサ内、またはプロセッサ外に実装させることができ、後の実行のためにソフトウェアコードを記憶する際にメモリを採用するときと、ソフトウェアコードを実行する際にメモリを採用するときとで実装を変動させることができる。本文書で使用する場合、「メモリ」という文言は、任意の種類の長期、短期、揮発性、不揮発性、またはその他の記憶媒体を指し、任意の特定の種類のメモリまたは特定の数のメモリ、またはメモリを記憶するメディアの種類に限定されない。
【０１５５】
さらに、本文書で開示する場合、「記憶媒体」という文言は、１つ以上のデータ記憶装置、たとえば、読取専用メモリ（ＲＯＭ）、ランダムアクセスメモリ（ＲＡＭ）、磁気ＲＡＭ、コアメモリ、磁気ディスク記憶媒体、光記憶媒体、フラッシュメモリ装置、および／または情報を記憶するその他の機械可読媒体を表すことができる。「機械可読媒体」という文言は、可動または固定記憶装置、光記憶装置、無線チャネル、および／または命令および／またはデータを記憶する、含む、または担持するその他の各種媒体を含むが、それらに限定されない。
【０１５６】
本文書に記載する方法は、１つ以上の実施形態では、命令を含むコードセグメントを受信する１つ以上のプロセッサを備える機械によって実行可能である。本文書に記載するどの方法の場合も、命令を機械によって実行するとき、機械が方法を実行する。機械が取るべき動作を特定する１セットの命令を（順次またはそれ以外の形で）実行することができる機械が含まれる。よって、代表的な機械は、１つ以上のプロセッサを含む代表的な処理システムによって例示することができる。各プロセッサは、ＣＰＵ、グラフィック処理部、プログラマブルＤＳＰ部のうちの１つ以上を含むことができる。処理システムは、主ＲＡＭおよび／または静的ＲＡＭ、および／またはＲＯＭを含むメモリサブシステムをさらに含んでもよい。部品間の通信用のバスサブシステムを含めてもよい。処理システムがディスプレイを必要とする場合、このようなディスプレイは、たとえば、液晶ディスプレイ（ＬＣＤ）を含むことができる。手動でのデータ入力が必要である場合、処理システムは、キーボードなどの英数字入力部とマウスなどのポインティング制御装置とのうちの１つ以上である入力装置も含む。 
【０１５７】
メモリは、処理システムによって実行されるとき、本文書に記載する方法のうちの１つを実行する命令を含む機械可読コードセグメント（たとえば、ソフトウェアまたはソフトウェアコード）を含む。ソフトウェアはコンピュータシステムによる実行中、メモリ内に完全に常駐する、あるいはＲＡＭおよび／またはプロセッサ内に完全にまたは少なくとも部分的に常駐することができる。よって、メモリおよびプロセッサは、機械可読コードを備えるシステムも構成する。
【０１５８】
別の実施形態では、機械は、スタンドアローン装置として動作する、あるいは、ネットワーク配備下の他の装置に接続する、たとえばネットワーク接続することができる。該機械は、サーバ−クライアントネットワーク環境内のサーバまたはクライエント機械の能力内で、またはピアツーピアまたは分散ネットワーク環境内のピア機械として動作することができる。該機械は、たとえば、コンピュータ、サーバ、サーバのクラスタ、コンピュータのクラスタ、ウェブアプライアンス、分散コンピューティング環境、クラウドコンピューティング環境、または機械が取るべき動作を特定する１セットの命令を（順次またはそれ以外の形で）実行することができる任意の機械であってもよい。「機械」という文言は、本文書に記載する方法のうちの１つ以上を実行する１セットの（または複数セットの）命令を個々に、または共に実行する機械の集合を含むように解釈してもよい。
【０１５９】
本発明の例示的実施形態に関する上記開示は、例示と説明のために提示した。この説明は、網羅的である、あるいは本発明を単独の開示する実施形態に限定することを意図していない。本文書に記載する実施形態の多くの変形および変更は、上記開示に鑑み、当業者によって自明となる。発明の範囲は、添付の請求項によってのみ、および請求項の等価物によって定義すべきである。
【０１６０】
さらに、本発明の代表的実施形態を説明するにあたって、明細書はステップの特定のシーケンスとして本発明の方法および／またはプロセスを提示した。しかしながら、方法またはプロセスが本文書に記載するステップの特定の順序に依存しないという点で、方法またはプロセスは記載するステップの特定のシーケンスに限定されるべきではない。当業者が認識するように、ステップのその他のシーケンスも可能である。したがって、本明細書に記載するステップの特定の順序は、請求項に関する限定と解釈すべきではない。また、本発明の方法および／またはプロセスに関する請求項は、記載される順番でステップを実行することに限定すべきではなく、当業者であれば、シーケンスは変更することができ、その場合も本発明の精神と範囲に含まれることを容易に理解するであろう。
【図１Ａ】
2020144898.tif 000002
【図１Ｂ】
2020144898.tif 000003
【図１Ｃ】
2020144898.tif 000004
【図２】
2020144898.tif 000005
【図３】
2020144898.tif 000006
【図４Ａ】
2020144898.tif 000007
【図４Ｂ】
2020144898.tif 000008
【図５】
2020144898.tif 000009
【図６】
2020144898.tif 000010
【図７】
2020144898.tif 000011
【図８】
2020144898.tif 000012
【図９】
2020144898.tif 000013
【図１０Ａ】
2020144898.tif 000014
【図１０Ｂ】
2020144898.tif 000015
【図１０Ｃ】
2020144898.tif 000016
【図１０Ｄ】
2020144898.tif 000017
【図１０Ｅ】
2020144898.tif 000018
【図１０Ｆ】
2020144898.tif 000019
【図１１】
2020144898.tif 000020
【図１２】
2020144898.tif 000021
【図１３】
2020144898.tif 000022
【図１４】
2020144898.tif 000023
【図１５】
2020144898.tif 000024